(57)【要約】【課題】複数の映像を統合した統合映像が本来の品質の映像であるか否かをユーザに把握させることが容易な表示装置を提供する。【解決手段】表示装置（１）は、複数の画像信号の示す各画像を統合して表示画像を生成する画像統合手段（３１）と複数の画像信号の各々の解像度を示すＯＳＤ画像を生成するＯＳＤ画像生成手段（３２）と表示画像とＯＳＤ画像とを表示する表示手段（３）とを備えている。【選択図】  図１
2014134755.tif 000002
【特許請求の範囲】
【請求項１】
並列的に送られてくる複数の画像信号を受け付ける画像信号受付手段と、
上記画像信号受付手段によって受け付けられた上記複数の画像信号の示す各画像を統合して表示画像を生成する画像統合手段と、
上記複数の画像信号の各々の解像度を示す単一または複数のＯＳＤ画像を生成するＯＳＤ画像生成手段と、
上記ＯＳＤ画像生成手段によって生成されたＯＳＤ画像と上記画像統合手段によって生成された上記表示画像とを表示する表示手段と、
を備えていることを特徴とする表示装置。
【請求項２】
上記ＯＳＤ画像生成手段は、上記画像統合手段によって統合される上記各画像の画像信号の解像度が互いに等しい場合に上記表示画像の解像度を示すＯＳＤ画像を生成し、上記各画像の画像信号が同一でない場合に上記単一または複数のＯＳＤ画像を生成する、
ことを特徴とする請求項１に記載の表示装置。
【請求項３】
上記ＯＳＤ画像生成手段は、上記複数の画像信号の各々の解像度を示すＯＳＤ画像として、上記画像統合手段によって統合される各画像について上記表示画像内における該画像の表示位置と該画像を示す画像信号の解像度とを対として示した単一のＯＳＤ画像を生成する、
ことを特徴とする、請求項１または２に記載の表示装置。
【請求項４】
上記ＯＳＤ画像生成手段は、上記複数の画像信号の各々について、該画像信号の解像度を示すＯＳＤ画像を生成し、
上記表示手段は、上記複数の画像信号の各々について、該画像信号の示す画像上に該画像信号の解像度を示すＯＳＤ画像を表示する、
ことを特徴とする請求項１または２に記載の表示装置。
【請求項５】
上記画像信号受付手段は、上記複数の画像信号の各々について、該画像信号を受け付ける入力端子を備えており、
複数の上記入力端子のうちの一部の上記入力端子に画像信号が入力されていない場合に、上記ＯＳＤ画像生成手段は、入力された画像信号の各々の解像度を示すＯＳＤ画像を生成するとともに上記一部の入力端子の各々について、該入力端子に画像信号が入力されていないことを示すＯＳＤ画像を生成し、
上記表示手段は、上記入力された各画像信号の解像度を示すＯＳＤ画像を表示し、上記一部の入力端子の各々について、該入力端子に画像信号が入力されていない旨を示すＯＳＤ画像を、該入力端子に画像信号が入力されている場合に該画像信号の示す画像が表示される領域に表示する、ことを特徴とする請求項１から４の何れか１項に記載の表示装置。
【請求項６】
上記ＯＳＤ画像生成手段は、上記表示画像の一部として、隣接する位置に２つの上記画像が表示される場合に、隣接する位置に表示される２つの上記画像の各対について該対を成す２つの画像間の境界線を示すＯＳＤ画像を生成する、ことを特徴とする請求項１から５の何れか１項に記載の表示装置。
【請求項７】
上記対を成す２つの画像が互いに関連する画像であるかを判定する判定手段をさらに備え、
上記ＯＳＤ画像生成手段は、上記判定手段により上記対を成す２つの画像が互いに関連しない画像であると判定された場合に限り、上記境界線を示すＯＳＤ画像を生成する、ことを特徴とする請求項６に記載の表示装置。
【請求項８】
上記判定手段は、上記対を成す２つの画像の画像信号に関し、入力チャンネル、入力ソース、または入力サービス名の何れかが同一である場合に、該対を成す２つの画像を互いに関連する画像であると判定する、ことを特徴とする請求項７に記載の表示装置。
【請求項９】
上記判定手段は、上記対を成す２つの各画像の画像信号の解像度が同一である場合に、該対を成す２つの画像を互いに関連する画像であると判定する、ことを特徴とする請求項７または８に記載の表示装置。
【請求項１０】
上記判定手段は、上記対を成す２つの画像に関し、画像信号を出力する機器の機器名を示す機器情報が同一である場合に、該対を成す２つの画像を互いに関連する画像であると判定する、ことを特徴とする請求項７から９の何れか１項に記載の表示装置。
【請求項１１】
上記判定手段は、上記対を成す２つの画像の画像信号に関し、伝送方式の種別を示す信号モード、色空間の種別、およびカラリメトリ情報が何れも同一である場合に、該対を成す２つの画像を互いに関連する画像であると判定する、ことを特徴とする請求項７から１０の何れか１項に記載の表示装置。
【請求項１２】
上記判定手段は、上記対を成す一方の画像中の画素群であって他方の画像との境界に位置する画素群のうちの所定の割合以上の画素が、該画素の画素値と該画素に隣接する上記他方の画像中の画素の画素値との差が所定の閾値以下であるという条件を満たす場合に、該対を成す２つの画像を互いに関連する画像であると判定する、ことを特徴とする請求項７から１１の何れか１項に記載の表示装置。
【請求項１３】
上記所定の割合は５０パーセントである、ことを特徴とする請求項１２に記載の表示装置。
【請求項１４】
上記表示手段は、上記画像統合手段が上記表示画像を生成するために統合可能な最大枚数の画像を統合する場合には、各画像の画像信号の解像度が同一であるときに限って上記境界線を示すＯＳＤ画像を表示しない、ことを特徴とする請求項６に記載の表示装置。
【請求項１５】
上記画像信号受付手段は、上記複数の画像信号として、原画像を分割して得られる複数の分割画像の各々の画像信号を受け付ける、
ことを特徴とする請求項１から１４の何れか１項に記載の表示装置。
【請求項１６】
上記表示画像の一部として隣接する位置に表示される２つの上記分割画像の各対について、該対を成す２つの分割画像の境界を示す境界線を上記表示画像上に表示する境界線表示手段をさらに備えている、ことを特徴とする請求項１５に記載の表示装置。
【請求項１７】
上記表示画像の解像度は水平画素数３８４０×垂直画素数２１６０であり、
上記画像信号受付手段は、上記複数の画像信号として、原画像を４つに分割して得られる４つの分割画像の各々の画像信号を受け付け、
上記ＯＳＤ画像生成手段は、上記４つの分割画像の解像度が何れも水平画素数１９２０×垂直画素数１０８０である場合に、上記表示画像の解像度を示すＯＳＤ画像を生成する、
ことを特徴とする請求項１５または１６に記載の表示装置。
【請求項１８】
請求項１から１７のいずれか１項に記載の表示装置の上記各手段を備えていることを特徴とするテレビジョン受像機。
【請求項１９】
請求項１から１７のいずれか１項に記載の表示装置としてコンピュータを機能させるための画像表示プログラムであって、コンピュータを上記各手段として機能させるための画像表示プログラム。
【請求項２０】
請求項１９に記載の画像表示プログラムを記録したコンピュータ読み取り可能な記録媒体。
【請求項２１】
並列的に送られてくる複数の画像信号を受け付ける画像信号受付工程と、
上記画像信号受付工程に
て受け付けられた上記複数の画像信号の示す各画像を統合して表示画像を生成する画像統合工程と、
上記複数の画像信号の各々の解像度を示す単一または複数のＯＳＤ画像を生成するＯＳＤ画像生成工程と、
上記画像統合工程にて生成された表示画像と、上記ＯＳＤ画像生成工程にて生成されたＯＳＤ画像とを表示する表示工程と、
を含んでいることを特徴とする表示装置の表示方法。
【発明の詳細な説明】
【技術分野】
【０００１】
本発明は、表示装置（例えば、テレビジョン受像機）およびそのような表示装置の表示方法に関する。更に、本発明は、コンピュータをそのような表示装置として機能させるプログラム、および、そのようなプログラムが記録された記録媒体に関する。
【背景技術】
【０００２】
近年、複数の画像信号を並列的に入力することにより、各々の画像信号に基づいて画像を多画面表示することが可能な表示装置が従来技術として知られている。また、水平画素数３８４０×垂直画素数２１６０の画面解像度を有する４Ｋ２Ｋ映像を表示することが可能な表示装置なども開発されている。
【０００３】
そのような多画面表示が可能な表示装置において、４Ｋ２Ｋ映像を表示する方法として、４Ｋ２Ｋ映像を分割した各分割映像の映像信号の入力を受け付け、各分割映像を統合する方法が挙げられる。例えば、ＰＣ（Personal Computer）において４Ｋ２Ｋ映像を４分割し、ＰＣの備えるグラフィックボードから、４本のＨＤＭＩ（High Definition Multimedia Interface、ＨＤＭＩは登録商標）ケーブルなどを介して、４つの分割映像を表示装置に並列的に入力する。表示装置は、４つのＨＤＭＩ入力端子に並列的に入力された各分割映像を統合し、４Ｋ２Ｋ映像を表示する。
【０００４】
特許文献１には、多画面表示が可能な表示装置において、各画面の表示の状態に応じてＯＳＤ（On-Screen Display）表示を行う技術が開示されている。
【先行技術文献】
【特許文献】
【０００５】
【特許文献１】特開平７−１６２７７９号公報（１９９５年６月２３日公開）
【発明の概要】
【発明が解決しようとする課題】
【０００６】
ここで、表示装置に並列入力される４つの分割映像が、同じ解像度（すなわち、水平画素数１９２０×垂直画素数１０８０）及び周波数であるような同一の映像フォーマットとして入力された場合に、表示装置は４つの分割映像を統合して４Ｋ２Ｋ映像を表示することができる。一方、４つの分割映像が異なる映像フォーマットとして表示装置に並列入力された場合においても、例えば４つの分割映像のうちの一部にアップコンバートを施した上で４つの分割映像を統合することで、４Ｋ２Ｋ映像を表示装置に表示することは可能である。しかしながら、このようにして表示された映像は、本来の品質の４Ｋ２Ｋ映像（すなわち、４Ｋ２Ｋ映像本来の精細感を持つドットバイドットで表示される映像）ではない。
【０００７】
これに関し、上述のような従来技術には、表示装置に表示されている映像が本来の品質の４Ｋ２Ｋ映像であるか否かを判断することがユーザにとって容易ではないという課題があった。
【０００８】
本発明は上記の課題に鑑みてなされたものであり、その目的は、複数の映像を統合して表示される表示映像が本来の品質の映像であるか否かを容易にユーザに把握させることが可能な表示装置を提供することにある。
【課題を解決するための手段】
【０００９】
上記の課題を解決するために、本発明の一態様に係る表示装置は、並列的に送られてくる複数の画像信号を受け付ける画像信号受付手段と、上記画像信号受付手段によって受け付けられた上記複数の画像信号の示す各画像を統合して表示画像を生成する画像統合手段と、上記複数の画像信号の各々の解像度を示す単一または複数のＯＳＤ画像を生成するＯＳＤ画像生成手段と、上記ＯＳＤ画像生成手段によって生成されたＯＳＤ画像と上記画像統合手段によって生成された上記表示画像とを表示する表示手段と、を備えていることを特徴とする。
【００１０】
また、上記の課題を解決するために、本発明の一態様に係る表示装置の表示方法は、並列的に送られてくる複数の画像信号を受け付ける画像信号受付工程と、上記画像信号受付工程にて受け付けられた上記複数の画像信号の示す各画像を統合して表示画像を生成する画像統合工程を含んだ表示装置の制御方法において、上記複数の画像信号の各々の解像度を示す単一または複数のＯＳＤ画像を生成するＯＳＤ画像生成工程と、上記ＯＳＤ画像生成工程にて生成されたＯＳＤ画像と上記画像統合手段によって生成された上記表示画像とを表示する表示工程と、を含んでいることを特徴とする。
【発明の効果】
【００１１】
本発明の一態様によれば、多画面表示される各映像の解像度を示すＯＳＤ画像を表示する表示装置を提供することができる。
【図面の簡単な説明】
【００１２】
【図１】本発明の第１の実施形態に係る表示装置の構成を示すブロック図である。
【図２】本発明の第１の実施形態に係る表示装置がＯＳＤ画像及びコンテンツ画像を表示する手順を示すフローチャートである。
【図３】本発明の第１の実施形態に係る表示装置に入力される全ての画像信号の解像度が同一である場合における表示画面の遷移の一例を示す遷移図である。
【図４】本発明の第１の実施形態に係る表示装置に入力される全ての画像信号の解像度が同一でない場合における表示画面の遷移の一例を示す遷移図である。
【図５】本発明の第１の実施形態に係る表示装置が表示するＯＳＤ画像の一例を示す図である。
【図６】本発明の第１の実施形態に係る表示装置の変形例において、入力される全ての画像信号の解像度が同一である場合における表示画面の遷移の一例を示す遷移図である。
【図７】本発明の第１の実施形態に係る表示装置の変形例において、入力される全ての画像信号の解像度が同一でない場合における表示画面の遷移の一例を示す遷移図である。
【図８】本発明の実施形態に係る表示装置と、画像出力装置とからなる画像表示システムの構成を示すブロック図である。
【図９】本発明の変形例に係る表示装置の備える画像信号受付部のうち、何れかの画像信号受付部に画像信号が入力されていない場合における表示画面の遷移の一例を示す遷移図である。
【図１０】本発明の第２の実施形態に係る表示装置の構成を示すブロック図である。
【図１１】本発明の第２の実施形態に係る表示装置の備える判定部が行う処理の手順の一例を示すフローチャートである。
【図１２】本発明の第２の実施形態に係る表示装置の備える判定部が行う処理の手順の変形例を示すフローチャートである。
【図１３】本発明の第２の実施形態に係る表示装置の備える判定部が行う処理の手順の変形例を示すフローチャートである。
【図１４】本発明の第２の実施形態に係る表示装置の備える判定部が行う処理の手順の変形例を示すフローチャートである。
【図１５】本発明の第２の実施形態に係る表示装置の備える判定部が行う処理の手順の変形例を示すフローチャートである。
【図１６】本発明の第２の実施形態に係る表示装置に入力される画像信号の示す画像間の境界線を表示する場合における表示画面の遷移の一例を示す遷移図である。
【図１７】本発明の第２の実施形態に係る表示装置に入力される画像信号の示す画像間の境界線を表示する場合における表示画面の遷移の一例を示す遷移図である。
【発明を実施するための形態】
【００１３】
〔実施形態１〕
以下、本発明の第１の実施の形態について、図１から図７を参照しながら詳細に説明する。なお、本明細書においては、「解像度」の用語を、ｐｐｉ等の分解能の意味ではなく、縦および横の画素数の意味で用いていることを予め述べておく。
【００１４】
（表示装置１の構成）
図１は本実施形態に係る表示装置１の構成を示すブロック図である。図１に示すように、表示装置１は、複数の画像信号受付部２と、表示制御部３と、表示部４とを備えている。表示制御部３は、画像統合部３１と、ＯＳＤ画像生成部３２と、ＯＳＤ画像合成部３３とを備えている。
【００１５】
画像信号受付部２は、例えば、ＰＣなどの画像出力機能を備えた外部機器からの映像コンテンツまたは静止画コンテンツの入力画像信号を受け付ける入力端子である。本実施形態においては、画像信号受付部２として、ＨＤＭＩ接続端子を用いる場合について説明するが、本発明はこれに限定されるものではない。
【００１６】
画像信号受付部２は、入力を受け付けた入力画像信号の示す画像（以下では、「入力画像」とも呼称する。）を、画像統合部３１に供給する。表示装置１は、４つの画像信号受付部２を備えていることにより、並列的に送られてくる４つの入力画像信号を受け付けることができる。また、表示装置１は、４つの画像信号受付部２を備えていることにより、外部機器によって生成された原画像を例えば４分割することによって得られる４つの分割画像の各々の入力画像信号を並列的に受け付けることができる。また、画像信号受付部２としてＨＤＭＩ接続端子を用いる場合には、４つの分割画像の各々の入力画像信号とともに、並列入力している旨を示すＣＥＣ（Consumer Electronics Control）コマンドの入力を受け付けることができる。なお、本実施形態において、表示装置１は、画像信号受付部２を４つ備える構成を採用しているが、本発明はこれに限定されるものではない。
【００１７】
（表示制御部３について）
画像統合部３１は、４つの画像信号受付部２から取得した各入力画像を統合して得られた画像（以下では、「表示画像」「統合画像」等とも呼称する）を、ＯＳＤ画像合成部３３に供給する。
【００１８】
画像統合部３１が各入力画像を統合するために表示画面内のどの領域にどの入力画像を配置するかは、予め定められていてもよい。例えば、第１の画像信号受付部２から取得した入力画像が表示画面を４分割した領域のうち左上の領域に表示され、第２の画像信号受付部２から取得した入力画像が４分割した領域のうち右上の領域に表示され、第３の画像信号受付部２から取得した入力画像が４分割した領域のうち左下の領域に表示され、第４の画像信号受付部２から取得した入力画像が４分割した領域のうち右下の領域に表示されるように、各入力画像の配置位置を予め定めてもよい。
【００１９】
画像統合部３１は、さらに、各入力画像の各々の画像信号の解像度（以下では、「入力画像解像度」とも呼称する。）を示す解像度データをＯＳＤ画像生成部３２に供給する。
【００２０】
ＯＳＤ画像生成部３２は、画像統合部３１から取得した解像度データに基づいて、各入力画像解像度を示す単一または複数のＯＳＤ画像を生成する。ただし、ＯＳＤ画像生成部３２は、画像統合部３１から取得した解像度データが示す解像度が互いに等しい場合には、各入力画像解像度を示すＯＳＤ画像を生成する代わりに、表示画像の解像度を示すＯＳＤ画像を生成する。ＯＳＤ画像生成部３２は、生成したＯＳＤ画像をＯＳＤ画像合成部３３に供給する。
【００２１】
なお、ＯＳＤ画像生成部３２が生成するＯＳＤ画像には、各入力画像解像度だけではなく、各入力画像が、何れの画像出力装置から入力された画像であるかを示す識別番号などを含めてもよい。また、画像信号受付部２としてＨＤＭＩ接続端子を用いており、画像信号受付部２が、複数の分割画像の各々の画像信号を並列伝送している旨を示すＣＥＣコマンドを繰り返し受け付けている間は、ＯＳＤ画像に、分割画像を表示していることを示す情報を含めてもよい。
【００２２】
ＯＳＤ画像合成部３３は、画像統合部３１から取得した表示画像と、ＯＳＤ画像生成部３２から取得したＯＳＤ画像とを合成し、合成して得られた画像（以下では「合成画像」とも呼称する。）を表示部４に供給する。
【００２３】
表示部４は、ＯＳＤ画像合成部３３から取得した合成画像を表示する表示画面であり、４Ｋ２Ｋの画面解像度を有している。表示部４が表示する合成画像の例については参照する画像を代えて後述する。
【００２４】
（表示装置１の処理について）
以下では、本実施形態に係る表示装置１が合成画像を表示する手順について、図２から図５を参照して説明する。ここでは、表示装置１は、生成した画像を４分割する外部機器からの４つの分割画像の入力を並列的に受け付けることができるように、外部機器と４本のＨＤＭＩケーブルを介して接続されているものとする。
【００２５】
なお、以下では、表示装置１は、４つの画像信号受付部２を用いて受け付けた４つの分割画像を統合して、水平画素数３８４０×垂直画素数２１６０の画面解像度を有する４Ｋ２Ｋ画像を表示する例を挙げながら、上記手順について説明するが、本発明はこの例に限定されない。例えば、表示装置１は、画像を２分割（または８分割）する外部機器から受信した２つ（または８つ）の分割画像を統合して、水平画素数１９２０×垂直画素数１０８０の画面解像度を有するフルＨＤ画像を表示するものであってもよい。上記の場合には、分割数に応じた複数の画像信号受付部２を備える構成とすればよい。
【００２６】
図２は、本実施形態に係る表示装置１がＯＳＤ画像及びコンテンツ画像（表示画像）を表示する手順を示すフローチャートである。
【００２７】
（ステップＳ１）
まず、画像信号受付部２は、ＰＣなどの画像出力機能を備えた外部機器から入力画像信号を受け付ける。画像信号受付部２は、入力を受け付けた入力画像信号の示す画像、すなわち入力画像をそれぞれ画像統合部３１に供給する。
【００２８】
（ステップＳ２）
続いて、画像統合部３１は、ステップＳ１にて全ての（４つの）画像信号受付部２から入力画像を取得したか否かを判別する。画像統合部３１が、全ての画像信号受付部２から入力画像を取得していないと判別した場合（ステップＳ２において「ＮＯ」）には、表示装置１はステップＳ３の処理へ進む。また、画像統合部３１が、全ての画像信号受付部２から入力画像を取得したと判別した場合（Ｓ２において「ＹＥＳ」）には、表示装置１はステップＳ７の処理へ進む。
【００２９】
（ステップＳ３）
続いて、画像統合部３１は、ステップＳ１にて取得した各入力画像を統合し、統合した表示画像を生成する。４つの画像信号受付部２のうち、何れかの画像信号受付部２に入力画像信号が入力されておらず、画像統合部３１が入力画像を取得していない場合には、画像統合部３１は、入力画像信号が入力されていないことを示す画像（「NO SIGNAL」などのメッセージを示した画像）またはブランク画像を生成し、生成した画像と他の入力画像とを統合して、表示画像を生成してもよい。画像統合部３１は、生成した表示画像をＯＳＤ画像合成部３３に供給する。
【００３０】
（ステップＳ４）
続いて、画像統合部３１は、ステップＳ３または後述のステップＳ７にて統合した各入力画像について、入力画像解像度を示す解像度データをＯＳＤ画像生成部３２へ供給する。
【００３１】
（ステップＳ５）
続いて、ＯＳＤ画像生成部３２は、ステップＳ４にて画像統合部３１から取得した解像度データに基づいて、各入力画像解像度を示す単一または複数のＯＳＤ画像を生成する。ＯＳＤ画像生成部３２は、生成したＯＳＤ画像を、ＯＳＤ画像合成部３３に供給する。
【００３２】
（ステップＳ６）
続いて、ＯＳＤ画像合成部３３は、ステップＳ３にて画像統合部３１から供給された表示画像と、ステップＳ６にてＯＳＤ画像生成部３２から供給されたＯＳＤ画像とを合成し、合成画像を生成する。ＯＳＤ画像合成部３３は生成した合成画像を表示部４へ供給する。ＯＳＤ画像合成部３３から合成画像を取得した表示部４は、合成画像を表示する。
【００３３】
（ステップＳ７）
また、ステップＳ２にて、画像統合部３１が全ての画像信号受付部２から入力画像を取得したと判別した場合（Ｓ２において「ＹＥＳ」）には、画像統合部３１は、ステップＳ１にて取得した各入力画像を統合することにより、表示画像を生成する。画像統合部３１は、生成した表示画像をＯＳＤ画像合成部３３に供給する。
【００３４】
（ステップＳ８）
続いて、画像統合部３１は、ステップＳ１にて取得した各入力画像について、入力画像解像度を示す解像度データをそれぞれ比較し、全ての入力画像解像度が互いに等しい場合（ステップＳ８において「ＹＥＳ」）には、表示装置１は、ステップＳ９の処理へ進む。また、全ての入力画像解像度が同一でない場合（ステップＳ８において「ＮＯ」）には、表示装置１は、ステップＳ４の処理へ進む。
【００３５】
（ステップＳ９）
続いて、画像統合部３１は、ステップＳ７にて生成した表示画像の解像度を示す解像度データをＯＳＤ画像生成部３２に供給する。
【００３６】
（ステップＳ１０）
続いて、ＯＳＤ画像生成部３２はステップＳ９にて取得した解像度データに基づいて、表示画像の解像度を示すＯＳＤ画像を生成する。ＯＳＤ画像生成部３２は、生成したＯＳＤ画像をＯＳＤ画像合成部３３に供給し、表示装置１はステップＳ６の処理へ進む。
【００３７】
以上の手順により、表示装置１は、並列的に送られてくる複数の画像信号を受け付け、受け付けられた複数の画像信号の示す各画像を統合して表示画像を生成する。また、表示装置１は、並列的に送られてくる複数の画像信号の各々の解像度を示す単一または複数のＯＳＤ画像を生成し、表示画像に合成して表示する。さらに、表示装置１は、特に、４つの画像信号受付部２が並列的に送られてくる４つの画像信号を受信している状態において、その４つの画像信号の解像度が互いに等しい場合には、４つの画像を統合した表示画像の表示解像度を示すＯＳＤ画像を生成し、表示画像に合成して表示する。
【００３８】
（表示画面の遷移の一例）
以下では、外部機器が４つの画像信号を順に表示装置１に供給していく場合における表示装置１の表示画面の遷移の一例について図３及び図４を参照しながら説明する。なお、以下では、４つの画像信号受付部２を用いて受け付けた４つの分割画像を統合して４Ｋ２Ｋ画像を表示する例を挙げながら、上記手順について説明するが、本発明はこの例に限定されない。また、図３及び図４はあくまで例示であって、表示装置１が表示する合成画像は、図３及び図４に示したものに限定されない。
【００３９】
（解像度が互いに等しい分割画像が入力された場合について）
図３は、表示装置１に入力される全ての画像信号の入力画像解像度が同一である場合における表示画面の遷移の一例を示す遷移図である。
【００４０】
なお、以下では、画像信号受付部２を単に、「ＨＤＭＩ入力端子」と呼称し、４つの画像信号受付部２をそれぞれ区別する必要がある場合には、「第１の画像信号受付部」〜「第４の画像信号受付部」、または、「ＨＤＭＩ１」〜「ＨＤＭＩ４」とも呼称する。また、ＨＤＭＩ１〜ＨＤＭＩ４に入力された入力画像信号の示す各々の画像を、「第１の入力画像」〜「第４の入力画像」と呼称する。
【００４１】
まず、ＨＤＭＩ１のみに水平画素数１９２０×垂直画素数１０８０（以下では、省略のために垂直画素数のみを表記し、「１０８０ｐ」と呼称する）の解像度を有する入力画像信号が入力されると、表示装置１は図３の画面ａに示すような合成画像を表示する。
【００４２】
図３の画面ａに示すように、ＨＤＭＩ１に入力された第１の入力画像が、表示画面を４分割した領域のうち左上の領域に表示される。また、ＨＤＭＩ２〜４には入力画像信号が入力されていないため、４分割した領域のうち右上、左下、及び右下の領域には、入力画像信号が入力されていないことを示す画像（「NO SIGNAL」というメッセージを示した画像）が表示される。
【００４３】
また、図３の画面ａに示す表示画像の右上部には各入力画像解像度を示すＯＳＤ画像が表示されている。ＯＳＤ画像には、「ＨＤＭＩ１」〜「ＨＤＭＩ４」という文字列が縦方向に並べて表示されている。各ＨＤＭＩ入力端子に入力された画像信号の入力画像解像度は、各ＨＤＭＩ入力端子に対応するように表示される。例えば、図３の画面ａの場合においては、ＨＤＭＩ１には１０８０ｐの解像度を有する入力画像信号が入力されているため、「ＨＤＭＩ１  １０８０ｐ」が表示されている。また、ＨＤＭＩ２には入力画像信号が入力されていないため、「ＨＤＭＩ２」のみが表示されている。ＨＤＭＩ３及びＨＤＭＩ４についても、ＨＤＭＩ２と同様に入力画像信号が入力されていないため、「ＨＤＭＩ３」、及び「ＨＤＭＩ４」のみが表示されている。
【００４４】
なお、各ＨＤＭＩ入力端子の何れにも入力画像信号が入力されていない場合には、表示装置１は、入力画像信号が入力されていないことを示す画像（「NO SIGNAL」などのメッセージを示した画像）またはブランク画像を表示する（不図示）。上記の場合、表示画面を４分割した領域のそれぞれに入力画像信号が入力されていないことを示す画像、またはブランク画像を表示してもよいし、表示画面を分割せずに、単一の入力画像信号が入力されていないことを示す画像、または単一のブランク画像を表示する構成としてもよい。
【００４５】
続いて、ＨＤＭＩ２に１０８０ｐの解像度を有する入力画像信号が入力されると、表示装置１の表示画面は、図３の画面ｂに遷移する。図３の画面ｂに示すように、ＨＤＭＩ２に入力された第２の入力画像が表示画面を４分割した領域のうち右上の領域に表示され、ＯＳＤ画像内の「ＨＤＭＩ２」の文字列が「ＨＤＭＩ２  １０８０ｐ」に更新される。
【００４６】
続いて、ＨＤＭＩ３に１０８０ｐの解像度を有する入力画像信号が入力されると、表示装置１の表示画面は、図３の画面ｃに遷移する。図３の画面ｃに示すように、ＨＤＭＩ３に入力された第３の入力画像が表示画面を４分割した領域のうち左下の領域に表示され、ＯＳＤ画像内の「ＨＤＭＩ３」の文字列が「ＨＤＭＩ３  １０８０ｐ」に更新される。
【００４７】
最後に、ＨＤＭＩ４に１０８０ｐの解像度を有する入力画像信号が入力されると、表示装置１の表示画面は図３の画面ｄに遷移する。すなわち、ＨＤＭＩ４に１０８０ｐの解像度を有する入力画像信号が入力されたことにより、全てのＨＤＭＩ入力端子に同一の解像度の入力画像信号が入力されたことになり、表示装置１は、図３の画面ｄに示すように、原画像と同一の４Ｋ２Ｋ画像を表示することになる。
【００４８】
なお、図３の画面ａ〜画面ｃにおいては、４分割した領域の境界を示す境界線（すなわち、表示画像の一部として隣接する位置に表示される２つの分割画像の各対について、対
を成す２つの分割画像の境界を示す境界線）が図示されているが、この境界線は説明の便宜上、図示したものであり、表示装置１が実際に表示する合成画像においては、境界線は含まれていない。ただし、表示装置１は、表示制御部３（境界線表示手段）が表示画像上にこの境界線を表示することで、この境界線を含むような合成画像を表示するように構成されていてもよい。この場合には、表示装置１は、図３の画面ｄを表示する際に、境界線を消去して原画像と同一の４Ｋ２Ｋ画像を表示してもよいし、境界線を消去せずに原画像と同一の４Ｋ２Ｋ画像を表示してもよい。
【００４９】
なお、図３の画面ｄに示されている表示画像は、１０８０ｐの解像度を有する各分割画像を統合したものであるため、水平画素数３８４０×垂直画素数２１６０の解像度、すなわち本来の品質の４Ｋ２Ｋ画像である。表示装置１は、本来の品質の４Ｋ２Ｋ画像が表示されていることを示すために、図３の画面ｄに表示されるＯＳＤ画像には、図３の画面ａ〜ｃに示されたようなＯＳＤ画像ではなく、図３の画面ｄに示されているような、統合された表示画像の解像度を示す「ＨＤＭＩ  ４Ｋ２Ｋ」の文字列を含むＯＳＤ画像を表示するようになっている。
【００５０】
なお、表示装置１は、ＯＳＤ画像を表示してから一定時間が経過した後にＯＳＤ画像を消去するように構成されていてもよいし、映像信号の入力を受けている間は常にＯＳＤ画像を表示するように構成されていてもよい。また、表示装置１は、ユーザ操作に応じて、ＯＳＤ画像を表示するか否かを切り替えるように構成されていてもよい。
【００５１】
（解像度の異なる分割画像が入力された場合について）
以下では、表示装置１に入力される全ての画像信号の入力画像解像度が同一でない場合における表示画面の遷移の一例について、図４を参照して説明する。
【００５２】
図４は、上記表示画面の遷移の一例を示す遷移図である。
【００５３】
まず、ＨＤＭＩ１のみに１０８０ｐの解像度を有する入力画像信号が入力されると、表示装置１は図４の画面ａに示すような合成画像を表示する。図４の画面ａは、図３の画面ａに示したものと同様の合成画像である。
【００５４】
続いて、ＨＤＭＩ２に水平画素数１２８０×垂直画素数７２０（以下では、省略のために「７２０ｐ」とも呼称する）の解像度を有する入力画像信号が入力されると、表示装置１の表示画面は、図４の画面ｂに遷移する。図４の画面ｂに示すように、ＨＤＭＩ２に入力された第２の入力画像が、表示画面を４分割した領域のうち右上の領域に表示され、ＯＳＤ画像内の「ＨＤＭＩ２」の文字列が「ＨＤＭＩ２  ７２０ｐ」に更新される。
【００５５】
続いて、ＨＤＭＩ３に水平画素数８５４×垂直画素数４８０（以下では、省略のために「４８０ｐ」とも呼称する）の解像度を有する入力画像信号が入力されると、表示装置１の表示画面は、図４の画面ｃに遷移する。図４の画面ｃに示すように、ＨＤＭＩ３に入力された第３の入力画像が、表示画面を４分割した領域のうち左下の領域に表示される。また、ＨＤＭＩ３に４８０ｐの解像度を有する入力画像信号が入力されることにより、図４の画面ｃに示すように、ＯＳＤ画像内の「ＨＤＭＩ３」の文字列が「ＨＤＭＩ３  ４８０ｐ」に更新される。
【００５６】
最後に、ＨＤＭＩ４に１０８０ｐの解像度を有する入力画像信号が入力されると、表示装置１の表示画面は、図４の画面ｄに遷移する。図４の画面ｄに示すように、ＨＤＭＩ４に入力された第４の入力画像が、表示画面を４分割した領域のうち右下の領域に表示される。
【００５７】
この時点で表示装置１が表示する合成画像は、第１〜第４の入力画像の４つの入力画像解像度が同一ではないため、本来の品質の４Ｋ２Ｋ画像ではない。
【００５８】
なお、解像度の異なる入力画像をＨＤＭＩ１〜ＨＤＭＩ４にそれぞれ入力する場合には、１０８０ｐ未満の解像度を有する入力画像について、１０８０ｐへのアップコンバートを施した上で、各入力画像を統合して表示してもよい。この場合も統合により得られる表示画像は本来の品質の４Ｋ２Ｋ画像ではないが、表示装置１が各入力画像について対応する画像信号の解像度を示したＯＳＤ画像を表示するので、ユーザは、表示されている４Ｋ２Ｋ画像が本来の４Ｋ２Ｋ画像ではないことを容易に把握することができる。
【００５９】
また、図４の画面ａ〜画面ｃにおいても、４分割した領域の境界を示す境界線が図示されているが、この境界線は説明の便宜上、図示したものであり、表示装置１は、実際にはこのような境界線を表示しない。
【００６０】
（表示装置１の利点）
以上、図３および図４を参照して説明したように、表示装置１の４つの画像信号受付部２（画像信号受付手段）がフルＨＤの４つの画像信号を受信し、表示制御部３が対応する４つの画像を統合して本来の品質の４Ｋ２Ｋ画像を表示する場合には、表示制御部３（ＯＳＤ画像生成手段、表示手段）は、４Ｋ２Ｋ画像を表示している旨を示すＯＳＤ画像を生成して４Ｋ２Ｋ画像とともに表示することになる。一方、表示装置１は、４つの画像信号受付部２が受信している４つの画像信号の解像度が同一でない場合には、各画像信号の解像度を示したＯＳＤ画像を表示することになる。
【００６１】
したがって、表示装置１は、表示映像が本来の品質の４Ｋ２Ｋ画像であるか否かを容易にユーザに把握させることができる。
【００６２】
なお、表示装置１は、４つの画像信号受付部２（画像信号受付手段）がフルＨＤの４つの画像信号を受信している場合であっても、４つの画像信号の解像度（１０８０ｐ）を示したＯＳＤ画像を表示するように構成されていてもよい。表示装置１がこのように構成されている場合であっても、ユーザは、ＯＳＤ画像を見て４つの画像信号の解像度が１０８０ｐであることを認識すれば、表示画像が本来の品質の４Ｋ２Ｋ画像であることを容易に把握できる。
【００６３】
（ＯＳＤ画像表示の変形例１）
以上、表示装置１に入力された各入力画像信号の解像度に応じて、表示装置１が表示するＯＳＤ画像を変更する手順について説明したが、表示装置１が表示するＯＳＤ画像は図３及び図４に示したような画像に限定されない。
【００６４】
図５は、本実施形態に係る表示装置１が表示するＯＳＤ画像の一例を示す図である。
【００６５】
図５に示すように、表示装置１は、各ＨＤＭＩ入力端子に入力される入力画像について表示画像内における表示位置を示す絵柄を含むようなＯＳＤ画像を表示する。より具体的には、図５に示すように、表示装置１は、入力画像が入力されるＨＤＭＩについてはそのＨＤＭＩに対応する絵柄の右隣に画像信号の解像度を含むようなＯＳＤ画像を表示する（図５は、ＨＤＭＩ４にのみ１０８０ｐの入力画像が入力されている場合のＯＳＤ画像の例である）。換言すれば、表示装置１は、各入力画像について、入力画像の表示画像内における表示位置と、その入力画像に対応する入力画像解像度とを対として示すようなＯＳＤ画像を表示する。
【００６６】
図５に示すようなＯＳＤ画像により、ユーザは、表示画像内のどの画像が、どのような解像度を有しているのかを直感的に把握することができる。
【００６７】
なお、本変形例においても、表示装置１は、１０８０ｐの４つの映像信号を受信している場合には、４つの絵柄を含むＯＳＤ画像ではなく、表示画像の解像度（４Ｋ２Ｋ）を示すＯＳＤ画像を表示することになる。
【００６８】
（ＯＳＤ画像表示の変形例２）
以下では、外部機器が４つの画像信号を順に表示装置１に供給していく場合における表示装置１が表示するＯＳＤ画像の変形例について図６及び図７を参照しながら説明する。なお、図６及び図７はあくまで例示であって、表示装置１が表示する合成画像は、図６及び図７に示したものに限定されない。
【００６９】
（解像度が互いに等しい分割画像が入力された場合について）
図６は、入力される全ての画像信号の入力画像解像度が同一である場合における本変形例に係る表示装置１の表示画面の遷移を示す遷移図である。
【００７０】
本変形例においては、表示装置１は、各ＨＤＭＩ入力端子に入力された入力画像信号の解像度を示す単一のＯＳＤ画像を表示するのではなく、ＨＤＭＩ入力端子毎に、ＨＤＭＩ入力端子に入力された入力画像信号の解像度を示すＯＳＤ画像を生成することで、複数のＯＳＤ画像を生成する。そして、表示装置１は、各入力画像信号について、その入力画像信号の解像度を示すＯＳＤ画像をその入力画像信号が表す入力画像上に表示する。
【００７１】
まず、ＨＤＭＩ１のみに１０８０ｐの解像度を有する入力画像信号が入力されると、表示装置１は図６の画面ａに示すような合成画像を表示する。
【００７２】
図６の画面ａに示すように、ＨＤＭＩ１に入力された第１の入力画像が、表示画面を４分割した領域のうち左上の領域に表示される。また、ＨＤＭＩ２〜４には入力画像信号が入力されていないため、４分割した領域のうち右上、左下、及び右下の領域には、入力画像信号が入力されていないことを示す画像（「NO SIGNAL」などのメッセージを示した画像）が表示される。
【００７３】
また、図６の画面ａに示すように、４分割した各領域には、その領域に表示されている入力画像に対応する入力画像信号の解像度を示すＯＳＤ画像が表示される。各領域に表示されるＯＳＤ画像には、その領域に表示される入力画像を受信したＨＤＭＩ入力端子を示す文字列（「ＨＤＭＩ１」〜「ＨＤＭＩ４」のいずれか）が含まれる。例えば、図６の画面ａの場合においては、ＨＤＭＩ１には１０８０ｐの解像度を有する入力画像信号が入力されているため、ＨＤＭＩ１が受信した第１の入力画像が表示される左上の領域のＯＳＤ画像には「ＨＤＭＩ１  １０８０ｐ」という文字列が含まれる。また、ＨＤＭＩ２には入力画像信号が入力されていないため、ＨＤＭＩ２が受信した第２の入力画像が表示するための右上の領域のＯＳＤ画像には「ＨＤＭＩ２」という文字列が表示される。ＨＤＭＩ３及びＨＤＭＩ４についても、ＨＤＭＩ２と同様に入力画像信号が入力されていないため、対応するＯＳＤ画像には、それぞれ、「ＨＤＭＩ３」、及び「ＨＤＭＩ４」とう文字列が表示されている。
【００７４】
なお、本変形例においても、各ＨＤＭＩ入力端子の何れにも入力画像信号が入力されていない場合には、表示装置１は、入力画像信号が入力されていないことを示す画像（「NO
SIGNAL」などのメッセージを示した画像）またはブランク画像を表示する（不図示）。
上記の場合、表示画面を４分割した領域のそれぞれに入力画像信号が入力されていないことを示す画像、またはブランク画像を表示してもよいし、表示画面を分割せずに、単一の入力画像信号が入力されていないことを示す画像、または単一のブランク画像を表示する構成としてもよい。
【００７５】
続いて、ＨＤＭＩ２に１０８０ｐの解像度を有する入力画像信号が入力されると、表示装置１の表示画面は、図６の画面ｂに遷移する。図６の画面ｂに示すように、ＨＤＭＩ２に入力された第２の入力画像が表示画面を４分割した領域のうち右上の領域に表示され、右上の領域に表示されているＯＳＤ画像内の「ＨＤＭＩ２」という文字列は「ＨＤＭＩ２  １０８０ｐ」に変更される。
【００７６】
続いて、ＨＤＭＩ３に１０８０ｐの解像度を有する入力画像信号が入力されると、表示装置１の表示画面は、図６の画面ｃに遷移する。図６の画面ｃに示すように、ＨＤＭＩ３に入力された第３の入力画像が表示画面を４分割した領域のうち左下の領域に表示され、左下の領域に表示されているＯＳＤ画像内の「ＨＤＭＩ３」という文字列は、「ＨＤＭＩ３  １０８０ｐ」に変更される。
【００７７】
続いて、ＨＤＭＩ４に１０８０ｐの解像度を有する入力画像信号が入力されると、表示装置１の表示画面は、図６の画面ｄに遷移する。図６の画面ｄに示すように、ＨＤＭＩ４に入力された第４の入力画像が表示画面を４分割した領域のうち右下の領域に表示され、右下の領域に表示されるＯＳＤ画像内の「ＨＤＭＩ４」という文字列は、「ＨＤＭＩ４  １０８０ｐ」に変更される。
【００７８】
ＨＤＭＩ４に１０８０ｐの解像度を有する入力画像信号が入力されたことにより、全てのＨＤＭＩ入力端子に同一の品質の分割画像が入力されたことになる。この場合、表示装置１の表示画面は、図６の画面ｅに遷移する。すなわち、表示装置１は、図６の画面ｅに示すように、原画像と同一の４Ｋ２Ｋ画像を表示することになる。
【００７９】
なお、表示装置１が表示する図６の画面ｅの表示画像は、１０８０ｐの解像度を有する各分割画像を統合した本来の品質の４Ｋ２Ｋ画像である。このことをユーザが容易に把握できるように、表示装置１は、図６の画面ｅに示すように、図６の画面ａ〜ｄに示されたようなＯＳＤ画像ではなく、表示画像の解像度である「ＨＤＭＩ  ４Ｋ２Ｋ」を示すようなＯＳＤ画像を表示するようになっている。
【００８０】
なお、図６の画面ａ〜画面ｄにおいても、４分割した領域の境界を示す境界線が図示されているが、この境界線は説明の便宜上、図示したものであり、表示装置１は、実際にはこのような境界線を表示しない。
【００８１】
（解像度が異なる分割画像が入力された場合について）
図７は、入力される全ての画像信号の入力画像解像度が同一でない場合における本変形例に係る表示装置１の表示画面の遷移を示す遷移図である。
【００８２】
まず、ＨＤＭＩ１のみに１０８０ｐの解像度を有する入力画像信号が入力されると、表示装置１は図７の画面ａに示すような合成画像を表示する。図７の画面ａは、図６の画面ａに示したものと同様の合成画像である。
【００８３】
続いて、ＨＤＭＩ２に７２０ｐの解像度を有する入力画像信号が入力されると、表示装置１の表示画面は、図７の画面ｂに遷移する。図７の画面ｂに示すように、ＨＤＭＩ２に入力された第２の入力画像が表示画面を４分割した領域のうち右上の領域に表示され、右上の領域に表示されているＯＳＤ画像の「ＨＤＭＩ２」という文字列は、「ＨＤＭＩ２  ７２０ｐ」に変更される。
【００８４】
続いて、ＨＤＭＩ３に４８０ｐの解像度を有する入力画像信号が入力されると、表示装置１の表示画面は、図７の画面ｃに遷移する。すなわち、図７の画面ｃに示すように、ＨＤＭＩ３に入力された第３の入力画像が表示画面を４分割した領域のうち左下の領域に表示され、左下の領域に表示されているＯＳＤ画像内の「ＨＤＭＩ３」という文字列は、「ＨＤＭＩ３  ４８０ｐ」に変更される。
【００８５】
最後に、ＨＤＭＩ４に１０８０ｐの解像度を有する入力画像信号が入力されると、表示装置１の表示画面は、図７の画面ｄに遷移する。すなわち、図７の画面ｄに示すようにＨＤＭＩ４に入力された第４の入力画像が表示画面を４分割した領域のうち右下の領域に表示され、右下の領域に表示されているＯＳＤ画像内の「ＨＤＭＩ４」という文字列は、「ＨＤＭＩ４  １０８０ｐ」に変更される。
【００８６】
この時点で表示装置１が表示している合成画像は、第１〜第４の入力画像の各々の入力画像解像度が同一ではないため、本来の品質の４Ｋ２Ｋ画像ではない。
【００８７】
また、図７の画面ａ〜画面ｃにおいても、４分割した領域の境界を示す境界線が図示されているが、この境界線は説明の便宜上、図示したものであり、表示装置１は、実際にはこのような境界線を表示しない。
【００８８】
（ＯＳＤ画像表示の変形例３）
以下では、表示装置１が表示するＯＳＤ画像のもう一つの変形例について図９を参照しながら説明する。なお、図９はあくまで例示であって、表示装置１が表示する合成画像は、図９に示したものに限定されない。
【００８９】
図９は、表示装置１の備える画像信号受付部のうち、何れかの画像信号受付部に画像信号が入力されていない場合における表示画面の遷移の一例を示す遷移図である。
【００９０】
本変形例においては、表示装置１は、各ＨＤＭＩ入力端子に入力された入力画像信号の解像度を示す単一のＯＳＤ画像を生成し、表示画像上に表示しているものとする。
【００９１】
例えば、図９に示すようにＨＤＭＩ１〜３の各々に、１０８０ｐの解像度を有する入力画像信号が入力されると、表示装置１は図９の画面ａに示すような合成画像を表示する。
【００９２】
図９の画面（ａ）に示すように、ＨＤＭＩ１に入力された第１の入力画像が、表示画面を４分割した領域のうち左上の領域に表示される。同様にＨＤＭＩ２に入力された第２の入力画像が、表示画面を４分割した領域のうち右上の領域に表示される。さらにＨＤＭＩ３に入力された第３の入力画像が、表示画面を４分割した領域のうち左下の領域に表示される。また、ＨＤＭＩ４には入力画像信号が入力されていないため、４分割した領域のうち右下の領域には、入力画像信号が入力されていないことを示す画像（「NO SIGNAL」などのメッセージを示した画像）が表示される。
【００９３】
また、図９の画面ａに示すように、表示装置１は、表示画像上に、各入力信号の解像度を示すＯＳＤ画像を表示する。表示画像上に表示されるＯＳＤ画像には、入力画像を受信したＨＤＭＩ入力端子を示す文字列（「ＨＤＭＩ１」〜「ＨＤＭＩ４」のいずれか）と、当該ＨＤＭＩ入力端子に入力されている入力信号の解像度とを対として表示した文字列が含まれる。例えば、図９の画面ａの場合においては、ＨＤＭＩ１〜ＨＤＭＩ３には１０８０ｐの解像度を有する入力画像信号が入力されているため、表示画像上に表示されるＯＳＤ画像には「ＨＤＭＩ１  １０８０ｐ」、「ＨＤＭＩ２  １０８０ｐ」、および「ＨＤＭＩ３  １０８０ｐ」という文字列が含まれる。また、ＨＤＭＩ４には入力画像信号が入力されていないため、表示画像に表示されるＯＳＤ画像には「ＨＤＭＩ４」という文字列のみが含まれ、解像度を示す文字列は含まれない。
【００９４】
上記のように、各ＨＤＭＩ入力端子のうち、何れかの入力端子に入力画像信号が入力されていない場合、本変形例に係る表示装置１は、ＨＤＭＩ入力端子に入力された各々の入力画像信号の解像度を示すＯＳＤ画像と、入力画像信号が入力されていないＨＤＭＩ入力端子を示すＯＳＤ画像とを表示する。具体的には、図９の画面ａのように入力画像信号が入力されていないＨＤＭＩ入力端子が存在することを検知した場合、表示装置１の表示画面は、図９の画面ｂに遷移する。
【００９５】
図９の画面ｂに示すように、表示装置１は、「ＨＤＭＩ１  １０８０ｐ」、「ＨＤＭＩ２  １０８０ｐ」、および「ＨＤＭＩ３  １０８０ｐ」という文字列が含まれる第１のＯＳＤ画像と、「ＨＤＭＩ４」という文字列が含まれる第２のＯＳＤ画像とを表示する。ＨＤＭＩ１〜ＨＤＭＩ３には１０８０ｐの解像度を有する入力画像信号が入力されているため、第１のＯＳＤ画像は、表示画面を４分割した領域のうち左上、右上、および左下の何れかの領域に表示される。また、ＨＤＭＩ４には入力画像信号が入力されていないため、第２のＯＳＤ画像は、表示画面を４分割した領域のうち右下の領域に表示される。
【００９６】
続いて、ＨＤＭＩ３に入力画像信号が入力されなくなった場合、表示装置１の表示画面は、図９の画面ｃに遷移する。図９の画面ｃに示すように、表示装置１は、「ＨＤＭＩ１  １０８０ｐ」、および「ＨＤＭＩ２  １０８０ｐ」という文字列が含まれる第１のＯＳＤ画像と、「ＨＤＭＩ４」という文字列が含まれる第２のＯＳＤ画像と、「ＨＤＭＩ３」という文字列が含まれる第３のＯＳＤ画像とを表示する。ＨＤＭＩ１〜ＨＤＭＩ２には１０８０ｐの解像度を有する入力画像信号が入力されているため、第１のＯＳＤ画像は、表示画面を４分割した領域のうち左上、および右上の何れかの領域に表示される。また、ＨＤＭＩ４には入力画像信号が入力されていないため、第２のＯＳＤ画像は、表示画面を４分割した領域のうち右下の領域に表示される。さらに、ＨＤＭＩ３にも入力画像信号が入力されていないため、第３のＯＳＤ画像は、表示画面を４分割した領域のうち左下の領域に表示される。
【００９７】
続いて、ＨＤＭＩ２に入力画像信号が入力されなくなった場合、表示装置１の表示画面は、図９の画面ｄに遷移する。図９の画面ｃに示すように、表示装置１は、「ＨＤＭＩ１  １０８０ｐ」という文字列が含まれる第１のＯＳＤ画像と、「ＨＤＭＩ４」という文字列が含まれる第２のＯＳＤ画像と、「ＨＤＭＩ３」という文字列が含まれる第３のＯＳＤ画像と、「ＨＤＭＩ２」という文字列が含まれる第４のＯＳＤ画像とを表示する。ＨＤＭＩ１には１０８０ｐの解像度を有する入力画像信号が入力されているため、第１のＯＳＤ画像は、表示画面を４分割した領域のうち左上の領域に表示される。また、ＨＤＭＩ４には入力画像信号が入力されていないため、第２のＯＳＤ画像は、表示画面を４分割した領域のうち右下の領域に表示される。さらに、ＨＤＭＩ３にも入力画像信号が入力されていないため、第３のＯＳＤ画像は、表示画面を４分割した領域のうち左下の領域に表示される。さらに、ＨＤＭＩ２にも入力画像信号が入力されていないため、第４のＯＳＤ画像は、表示画面を４分割した領域のうち右上の領域に表示される。
【００９８】
以上のように、本変形例に係る表示装置１は、ＨＤＭＩ入力端子に入力された各々の入力画像信号の解像度を示すＯＳＤ画像と、入力画像信号が入力されていないＨＤＭＩ入力端子を示すＯＳＤ画像とを表示することができる。本変形例に係る表示装置１は、ＨＤＭＩ入力端子への入力の状態に応じて単一または複数のＯＳＤ画像を表示することにより、何れの入力端子に画像信号が入力されていないかを、ユーザに通知することができる。
【００９９】
なお、図９の画面ａ〜画面ｄにおいても、４分割した領域の境界を示す境界線が図示されているが、この境界線は説明の便宜上、図示したものであり、表示装置１は、実際にはこのような境界線を表示しない。
【０１００】
〔実施形態２〕
以下では、本発明の第２の実施の形態について、図１０から図１７を参照しながら詳細に説明する。本実施形態に係る表示装置１’においては、表示画像の一部として隣接する位置に表示される２つの入力画像の各対について、対を成す２つの入力画像間の境界線を示すＯＳＤ画像を表示する構成を採用している。なお、説明の便宜上、第１の実施形態にて説明した部材と同じ機能を有する部材については、同じ符号を付記し、その説明を省略する。
【０１０１】
図１０は、本実施形態に係る表示装置１’の構成を示すブロック図である。図１０に示すように、表示装置１’は、第１の実施形態に係る表示装置１と同様、複数の画像信号受付部２と、表示制御部３’と、表示部４とを備えている。表示制御部３’は、画像統合部３１’と、ＯＳＤ画像生成部３２’と、ＯＳＤ画像合成部３３’と、判定部３４とを備えている。
【０１０２】
本実施形態に係る表示装置１’は、画像信号の入力チャンネルを複数備えているが、各入力チャンネルは４つの入力端子により構成されている。換言すれば、表示装置１’は、入力チャンネル数の４倍に等しい個数の画像信号受付部２を備えている。また、本実施形態では、最初に入力端子に画像信号が入力された入力画像が左上の領域に表示され、２番目に入力端子に画像信号が入力された入力画像が右上の領域に表示されようになっている。同様に、３番目に入力端子に画像信号が入力された入力画像が左下の領域に表示され、４番目に入力端子に画像信号が入力された入力画像が右下の領域に表示されようになっている。なお、図１０においては、これら４つの画像信号が入力される４つの画像信号受付部２のみを図示しており、残りの画像信号受付部２は図示していない。
【０１０３】
また、画像統合部３１’は、１枚の表示画像を生成するために最大４枚の入力画像を統合することが可能である。換言すれば、表示装置１’は、同時に最大４枚の入力画像を表示可能である。
【０１０４】
本実施形態に係る表示装置１’において、ＯＳＤ画像生成部３２’は、画像信号受付部２に入力される各画像信号について、画像信号の解像度を示すＯＳＤ画像を生成する。さらに、ＯＳＤ画像生成部３２’は、表示画像の一部として隣接する位置に表示される２つの入力画像間の境界線を示すＯＳＤ画像を生成する。また、本実施形態に係る表示装置１’は、隣接する位置に表示される２つの入力画像の各対について、該対を成す２つの入力画像間の境界線を示すＯＳＤ画像を生成するか否かを決定するために、判定部３４を備えている。
【０１０５】
判定部３４は、画像信号受付部２に入力される各画像信号に関する情報を示す画像情報を、画像統合部３１’から受信する。ここで、画像情報には、各画像信号の解像度や、入力ソースなどの情報であって、各画像信号に対応づけられた情報が含まれているが、これは本発明を限定するものではない。判定部３４は、画像統合部３１’から受信した画像情報に基づいて、隣接する位置に表示される２つの入力画像の各対について、互いに関連する画像であるか否かを判定する処理である判定処理を行う。判定部３４が行う判定処理の詳細については後述する。
【０１０６】
判定部３４は、隣接する位置に表示される２つの入力画像の各対について、互いに関連する画像であるか否かの判定結果を示す判定情報をＯＳＤ画像生成部３２’に供給する。ここで用いる判定情報としては、例えば、対を成す２つの入力画像が、互いに関連しているか否かを示す判定フラグのようなものであればよい。上記の場合、判定フラグが１であれば、対を成す２つの入力画像が互いに関連していることを示し、判定フラグが０であれば、対を成す２つの入力画像が互いに関連していないことを示すように設定すればよい。ＯＳＤ画像生成部３２’は、供給された判定情報に基づいて、隣接する位置に表示される２つの入力画像の各対について、該対を成す２つの入力画像が互いに関連する画像である場合に、該対を成す２つの入力画像間の境界線を示すＯＳＤ画像を生成する。ＯＳＤ画像生成部３２’は、画像信号の解像度を示す各ＯＳＤ画像に加えて、境界線を示すＯＳＤ画像を生成し、ＯＳＤ画像合成部３３’に供給する。
【０１０７】
ＯＳＤ画像合成部３３’は、画像統合部３１から取得した表示画像と、ＯＳＤ画像生成部３２’から取得した各ＯＳＤ画像とを合成し、合成して得られた画像（以下では「合成画像」とも呼称する。）を表示部４に供給する。表示部４は、ＯＳＤ画像合成部３３’から取得した合成画像を表示する。
【０１０８】
以上のように、本実施形態に係る表示装置１’は、表示画像において、統合された各画像間の境界線をユーザに把握させることを容易にすることができる。
【０１０９】
（関連性の判定について）
以下では、本実施形態に係る表示装置１’の備える判定部３４が行う判定処理の詳細について、図１１から図１５を参照しながら具体的に説明する。
【０１１０】
図１１〜図１５は、本実施形態に係る表示装置１’の備える判定部３４が行う判定処理の手順の一例をそれぞれ示したフローチャートである。表示装置１’は、第１の実施形態に係る表示装置１が行う処理に加え、図１１〜図１５に示す判定処理のうち、何れかの判定処理を行う。例えば、表示装置１’は、図２に示すステップＳ５またはステップＳ１０の処理に続いて図１１〜図１５に示す何れかの判定処理を行い、その後ステップＳ６の処理を行えばよい。なお、以下の説明においては、表示装置１’が行う処理のうち、表示装置１が行う処理と同様の処理については、説明を省略する。
【０１１１】
ステップＳ５またはステップＳ１０において、ＯＳＤ画像生成部３２は、画像信号の解像度を示す各ＯＳＤ画像を生成し、生成したＯＳＤ画像をＯＳＤ画像合成部３３’に供給する。また、画像統合部３１’は、各画像信号に関する情報を示す画像情報を、判定部３４に供給する。
【０１１２】
以下では、図１１を参照しながら、判定部３４がステップＳ２０の処理を行う場合について説明する。
【０１１３】
（ステップＳ２１）
まず、図１１に示すステップＳ２１にて、判定部３４は、画像統合部３１’から供給された画像情報に基づいて、隣接する位置に表示される２つの入力画像の各対のうちの１対について、入力サービス名が同じであるかを判定する。ここで入力サービス名とは、例えば、入力画像を示す画像信号の入力元が提供する動画像配信サービスの名称のことを指し、入力サービス名を示すデータは、画像統合部３１’から供給される画像情報に含まれている。判定部３４が、対を成す２つの入力画像の入力サービス名が同じであると判定した場合（ステップＳ２１にてＹＥＳ）、表示装置１’は、ステップＳ２５の処理へ進む。また、対を成す２つの入力画像の入力サービス名が異なると判定した場合（ステップＳ２１にてＮＯ）、判定結果を示す判定情報をＯＳＤ画像生成部３２’に供給し、表示装置１’は、ステップＳ２２の処理へ進む。
【０１１４】
（ステップＳ２２）
続いて、ステップＳ２２にて、判定部３４は、画像統合部３１’から供給された画像情報に基づいて、対を成す２つの入力画像の入力チャンネルが同じであるかを判定する。判定部３４が、対を成す２つの入力画像の入力チャンネルが同じであると判定した場合（ステップＳ２２にてＹＥＳ）、表示装置１’は、ステップＳ２５の処理へ進む。また、対を成す２つの入力画像の入力チャンネルが異なると判定した場合（ステップＳ２２にてＮＯ）、判定部３４は、判定結果を示す判定情報をＯＳＤ画像生成部３２’に供給し、表示装置１’は、ステップＳ２３の処理へ進む。
【０１１５】
（ステップＳ２３）
続いて、ステップＳ２３にて、判定部３４は、画像統合部３１’から供給された画像情報に基づいて、対を成す２つの入力画像の入力ソースが同じであるかを判定する。判定部３４が、対を成す２つの入力画像の入力ソースが同じであると判定した場合（ステップＳ２３にてＹＥＳ）、表示装置１’は、ステップＳ２５の処理へ進む。また、対を成す２つの入力画像の入力チャンネルが異なると判定した場合（ステップＳ２３にてＮＯ）、判定部３４は、判定結果を示す判定情報をＯＳＤ画像生成部３２’に供給し、表示装置１’は、ステップＳ２４の処理へ進む。
【０１１６】
（ステップＳ２４）
続いて、ＯＳＤ画像生成部３２’は、判定部３４から取得した判定情報に基づいて、対を成す２つの入力画像間の境界線を示すＯＳＤ画像を生成する。ＯＳＤ画像生成部３２’は、生成した境界線を示すＯＳＤ画像をＯＳＤ画像合成部３３’に供給し、表示装置１’は、ステップＳ２５の処理へ進む。
【０１１７】
（ステップＳ２５）
続いて、ステップＳ２５にて、判定部３４は、隣接する位置に表示される２つの入力画像の各対について、判定処理が行われたかを判定する。隣接する位置に表示される２つの入力画像の各対について、判定処理が行われたと判定した場合（ステップＳ２５にてＹＥＳ）、判定部３４はステップＳ２０の処理を終了する（すなわち、本実施形態においては、表示装置１’はステップＳ６の処理へ進む）。隣接する位置に表示される２つの入力画像の各対のうち、判定処理が行われていない対が存在すると判定した場合（ステップＳ２５にてＮＯ）、表示装置１’は、未だ判定処理が行われていない対について、ステップＳ２１の処理を繰り返す。
【０１１８】
以上の手順により、入力サービス名、入力チャンネル、および入力ソースに基づいて、隣接する位置に表示される２つの入力画像の各対のうち、互いに関連しない対について、対を成す２つの入力画像間の境界線を示すＯＳＤ画像が表示される。
【０１１９】
（関連性判定の変形例１）
続いて、以下では、図１２を参照しながら、判定部３４がステップＳ３０の処理を行う場合について説明する。
【０１２０】
（ステップＳ３１）
まず、図１２に示すステップＳ３１にて、判定部３４は、画像統合部３１’から供給された画像情報に基づいて、隣接する位置に表示される２つの入力画像の各対のうちの１対について、入力画像解像度が互いに等しいかを判定する。判定部３４が、対を成す２つの入力画像の入力画像解像度が互いに等しいと判定した場合（ステップＳ３１にてＹＥＳ）、表示装置１’は、ステップＳ３２の処理へ進む。また、対を成す２つの入力画像の入力画像解像度が互いに異なると判定した場合（ステップＳ３１にてＮＯ）、判定結果を示す判定情報をＯＳＤ画像生成部３２’に供給し、表示装置１’は、ステップＳ３４の処理へ進む。
【０１２１】
（ステップＳ３２）
画像統合部３１’は、ステップＳ３１にて４つの画像信号受付部２から入力画像を取得したか否かを判別する。画像統合部３１’が、４つの画像信号受付部２から入力画像を取得していないと判別した場合（ステップＳ３２にてＮＯ）、表示装置１’はステップＳ３４の処理へ進む。また、画像統合部３１’が、４つの画像信号受付部２から入力画像を取得したと判別した場合（Ｓ３２にてＹＥＳ）、表示装置１’はステップＳ３３の処理へ進む。
【０１２２】
（ステップＳ３３）
続いて、画像統合部３１’は、ステップＳ１にて取得した各入力画像について、入力画像解像度を示す解像度データをそれぞれ比較し、全ての入力画像解像度が互いに等しい場合（ステップＳ３３にてＹＥＳ）、表示装置１’は、ステップＳ３０の処理を終了する（すなわち、本実施形態においては、表示装置１’はステップＳ６の処理へ進む）。また、全ての入力画像解像度が同一でない場合（ステップＳ３３にてＮＯ）、表示装置１’は、ステップＳ３４の処理へ進む。
【０１２３】
（ステップＳ３４）
続いて、ＯＳＤ画像生成部３２’は、判定部３４から取得した判定情報に基づいて、対を成す２つの入力画像間の境界線を示すＯＳＤ画像を生成する。ＯＳＤ画像生成部３２’は、生成した境界線を示すＯＳＤ画像をＯＳＤ画像合成部３３’に供給し、表示装置１’は、ステップＳ３５の処理へ進む。
【０１２４】
（ステップＳ３５）
続いて、ステップＳ３５にて、判定部３４は、隣接する位置に表示される２つの入力画像の各対について、判定処理が行われたかを判定する。隣接する位置に表示される２つの入力画像の各対について、判定処理が行われたと判定した場合（ステップＳ３５にてＹＥＳ）、判定部３４はステップＳ３０の処理を終了する（すなわち、本実施形態においては、表示装置１’はステップＳ６の処理へ進む）。隣接する位置に表示される２つの入力画像の各対のうち、判定処理が行われていない対が存在すると判定した場合（ステップＳ３５にてＮＯ）、表示装置１’は、未だ判定処理が行われていない対について、ステップＳ３１の処理を繰り返す。
【０１２５】
以上の手順により、入力画像解像度に基づいて、隣接する位置に表示される２つの入力画像の各対のうち、互いに関連しない対について、対を成す２つの入力画像間の境界線を示すＯＳＤ画像が表示される。また、複数の入力画像の各入力画像解像度が互いに等しい場合には、各入力画像間の境界線を示すＯＳＤ画像の表示を解除することができる。
【０１２６】
（関連性判定の変形例２）
続いて、以下では、図１３を参照しながら、判定部３４がステップＳ４０の処理を行う場合について説明する。
【０１２７】
（ステップＳ４１）
まず、図１３に示すステップＳ４１にて、判定部３４は、画像統合部３１’から供給された画像情報に基づいて、隣接する位置に表示される２つの入力画像の各対のうちの１対について、「ＳＰＤ（Source Product Description）  Ｉｎｆｏ」の示す機器名が同じであるかを判定する。ここで、「ＳＰＤ  Ｉｎｆｏ」は、入力画像を示す画像信号を出力する機器の機器名を示す機器情報であり、例えば、ＨＤＭＩ入力端子により画像信号を受け付ける場合には、「ＳＰＤ  Ｉｎｆｏ」は、該画像信号に重畳されている。判定部３４が、対を成す２つの入力画像の入力ソース機器名が同じであると判定した場合（ステップＳ４１にてＹＥＳ）、表示装置１’は、ステップＳ４４の処理へ進む。また、対を成す２つの入力画像の入力ソース機器名が異なると判定した場合（ステップＳ４１にてＮＯ）、表示装置１’は、ステップＳ４２の処理へ進む。
【０１２８】
（ステップＳ４２）
続いて、ステップＳ４２にて、判定部３４は、画像統合部３１’から供給された画像情報に基づいて、対を成す２つの入力画像について、「ＣＥＣ情報のＩｔＣｏｎｔｅｎｔ」が同じであるかを判定する。ここで、「ＣＥＣ情報のＩｔＣｏｎｔｅｎｔ」とは、入力画像を示す画像信号を出力する機器の機器名を示す機器情報であり、ＣＥＣコマンドによって供給される情報である。判定部３４が、対を成す２つの入力画像の「ＣＥＣ情報のＩｔＣｏｎｔｅｎｔ」が同じであると判定した場合（ステップＳ４２にてＹＥＳ）、表示装置１’は、ステップＳ４４の処理へ進む。また、対を成す２つの入力画像の「ＣＥＣ情報のＩｔＣｏｎｔｅｎｔ」が異なると判定した場合（ステップＳ４２にてＮＯ）、判定部３４は、判定結果を示す判定情報をＯＳＤ画像生成部３２’に供給し、表示装置１’は、ステップＳ４３の処理へ進む。
【０１２９】
（ステップＳ４３）
続いて、ＯＳＤ画像生成部３２’は、判定部３４から取得した判定情報に基づいて、対を成す２つの入力画像間の境界線を示すＯＳＤ画像を生成する。ＯＳＤ画像生成部３２’は、生成した境界線を示すＯＳＤ画像をＯＳＤ画像合成部３３’に供給し、表示装置１’は、ステップＳ４４の処理へ進む。
【０１３０】
（ステップＳ４４）
続いて、ステップＳ４４にて、判定部３４は、隣接する位置に表示される２つの入力画像の各対について、判定処理が行われたかを判定する。隣接する位置に表示される２つの入力画像の各対について、判定処理が行われたと判定した場合（ステップＳ４４にてＹＥＳ）、判定部３４はステップＳ４０の処理を終了する（すなわち、本実施形態においては、表示装置１’はステップＳ６の処理へ進む）。隣接する位置に表示される２つの入力画像の各対のうち、判定処理が行われていない対が存在すると判定した場合（ステップＳ４４にてＮＯ）、表示装置１’は、未だ判定処理が行われていない対について、ステップＳ４１の処理を繰り返す。
【０１３１】
以上の手順により、画像信号を出力する機器の機器名を示す機器情報に基づいて、隣接する位置に表示される２つの入力画像の各対のうち、互いに関連しない対について、対を成す２つの入力画像間の境界線を示すＯＳＤ画像が表示される。
【０１３２】
（関連性判定の変形例３）
続いて、以下では、図１４を参照しながら、判定部３４がステップＳ５０の処理を行う場合について説明する。
【０１３３】
（ステップＳ５１）
まず、図１１に示すステップＳ５１にて、判定部３４は、画像統合部３１’から供給された画像情報に基づいて、隣接する位置に表示される２つの入力画像の各対のうちの１対について、信号モードが同じであるかを判定する。ここで、信号モードとは、入力画像を示す画像信号の伝送方式の種別を示す情報であり、例えば、ＨＤＭＩまたはＤＶＩ（Digital Visual Interface）の何れの入力端子を介して入力されているかを示す情報である。判定部３４が、対を成す２つの入力画像の信号モードが同じであると判定した場合（ステップＳ５１にてＹＥＳ）、表示装置１’は、ステップＳ５２の処理へ進む。また、対を成す２つの入力画像の信号モードが異なると判定した場合（ステップＳ５１にてＮＯ）、判定結果を示す判定情報をＯＳＤ画像生成部３２’に供給し、表示装置１’は、ステップＳ５４の処理へ進む。
【０１３４】
（ステップＳ５２）
続いて、ステップＳ２２にて、判定部３４は、画像統合部３１’から供給された画像情報に基づいて、対を成す２つの入力画像を示す画像信号の色空間の種別が同じであるかを判定する。判定部３４が、対を成す２つの入力画像を示す画像信号の色空間の種別が同じであると判定した場合（ステップＳ５２にてＹＥＳ）、表示装置１’は、ステップＳ５３の処理へ進む。また、対を成す２つの入力画像を示す画像信号の色空間の種別が異なると判定した場合（ステップＳ５２にてＮＯ）、判定部３４は、判定結果を示す判定情報をＯＳＤ画像生成部３２’に供給し、表示装置１’は、ステップＳ５４の処理へ進む。
【０１３５】
（ステップＳ５３）
続いて、ステップＳ５３にて、判定部３４は、画像統合部３１’から供給された画像情報に基づいて、対を成す２つの入力画像のカラリメトリ情報が同じであるかを判定する。判定部３４が、対を成す２つの入力画像のカラリメトリ情報が同じであると判定した場合（ステップＳ５３にてＹＥＳ）、表示装置１’は、ステップＳ５５の処理へ進む。また、対を成す２つの入力画像のカラリメトリ情報が異なると判定した場合（ステップＳ５３にてＮＯ）、判定部３４は、判定結果を示す判定情報をＯＳＤ画像生成部３２’に供給し、表示装置１’は、ステップＳ５４の処理へ進む。
【０１３６】
（ステップＳ５４）
続いて、ＯＳＤ画像生成部３２’は、判定部３４から取得した判定情報に基づいて、対を成す２つの入力画像間の境界線を示すＯＳＤ画像を生成する。ＯＳＤ画像生成部３２’は、生成した境界線を示すＯＳＤ画像をＯＳＤ画像合成部３３’に供給し、表示装置１’は、ステップＳ５５の処理へ進む。
【０１３７】
（ステップＳ５５）
続いて、ステップＳ５５にて、判定部３４は、隣接する位置に表示される２つの入力画像の各対について、判定処理が行われたかを判定する。隣接する位置に表示される２つの入力画像の各対について、判定処理が行われたと判定した場合（ステップＳ５５にてＹＥＳ）、判定部３４はステップＳ５０の処理を終了する（すなわち、本実施形態においては、表示装置１’はステップＳ６の処理へ進む）。隣接する位置に表示される２つの入力画像の各対のうち、判定処理が行われていない対が存在すると判定した場合（ステップＳ５５にてＮＯ）、表示装置１’は、未だ判定処理が行われていない対について、ステップＳ５１の処理を繰り返す。
【０１３８】
以上の手順により、信号モード、色空間の種別、およびカラリメトリ情報に基づいて、隣接する位置に表示される２つの入力画像の各対のうち、互いに関連しない対について、対を成す２つの入力画像間の境界線を示すＯＳＤ画像が表示される。
【０１３９】
（関連性判定の変形例４）
以下では、図１５を参照しながら、判定部３４がステップＳ６０の処理を行う場合について説明する。
【０１４０】
（ステップＳ６１）
まず、図１５に示すステップＳ６１にて、判定部３４は、画像統合部３１’から供給された画像情報に基づいて、隣接する位置に表示される２つの入力画像の各対のうちの１対について、一方の入力画像の境界画素のＲＧＢ値と他方の入力画像の境界画素のＲＧＢ値とが類似しているかを判定する。
【０１４１】
ここで、入力画像の境界画素とは、その入力画像を構成する画素であって、その入力画像とで対を成すもう一方の入力画像との境界に位置する画素を指す。例えば、本実施形態において、ＨＤＭＩ１およびＨＤＭＩ２に、解像度が水平画素数１９２０×垂直画素数１０８０の画像信号が入力されている場合について説明する。例えば、ＨＤＭＩ１に入力された画像と、ＨＤＭＩ２に入力された画像とが水平方向に隣接している場合には、もう一方の画像と隣接する位置にある垂直方向に配列されている１０８０個の画素を各画像の境界画素とする。
【０１４２】
また、互いに隣接する境界画素間のＲＧＢ値の差が所定の閾値以下である場合に、判定部３４は、境界画素が類似していると判定する。さらに、境界画素のうち、所定の割合（閾値とも呼ぶ）以上の境界画素が類似していると判定された場合に、判定部３４は、隣接する位置に表示される２つの入力画像が互いに関連する画像であると判定する。
【０１４３】
本実施形態においては、表示装置１’は、所定の割合（閾値とも呼ぶ）を示す情報をメモリ（不図示）等に格納している。例えば、所定の割合が「５０％」であり、且つ、５０％以上（上記の例においては５４０画素以上）の境界画素が類似している場合に、判定部３４は、この情報に基づいて、隣接する位置に表示される２つの入力画像が互いに関連する画像であると判定する。なお、本実施形態においては、閾値として類似度５０％を採用しているが、本発明はこれに限定されるものではない。
【０１４４】
判定部３４が、対を成す２つの入力画像の境界画素のうち、所定の割合（本実施形態においては５０％）以上の境界画素が類似していると判定した場合（ステップＳ６１にてＹＥＳ）、表示装置１’は、ステップＳ６３の処理へ進む。また、対を成す２つの入力画像の境界画素のうち所定の割合（本実施形態においては５０％）以上の境界画素が類似していないと判定した場合（ステップＳ６１にてＮＯ）、判定結果を示す判定情報をＯＳＤ画像生成部３２’に供給し、表示装置１’は、ステップＳ６２の処理へ進む。
【０１４５】
（ステップＳ６２）
続いて、ＯＳＤ画像生成部３２’は、判定部３４から取得した判定情報に基づいて、対を成す２つの入力画像間の境界線を示すＯＳＤ画像を生成する。ＯＳＤ画像生成部３２’は、生成した境界線を示すＯＳＤ画像をＯＳＤ画像合成部３３’に供給し、表示装置１’は、ステップＳ６３の処理へ進む。
【０１４６】
（ステップＳ６３）
続いて、ステップＳ６３にて、判定部３４は、隣接する位置に表示される２つの入力画像の各対について、判定処理が行われたかを判定する。隣接する位置に表示される２つの入力画像の各対について、判定処理が行われたと判定した場合（ステップＳ６３にてＹＥＳ）、判定部３４はステップＳ６０の処理を終了する（すなわち、本実施形態においては、表示装置１’はステップＳ６の処理へ進む）。隣接する位置に表示される２つの入力画像の各対のうち、判定処理が行われていない対が存在すると判定した場合（ステップＳ６３にてＮＯ）、表示装置１’は、未だ判定処理が行われていない対について、ステップＳ６１の処理を繰り返す。
【０１４７】
以上の手順により、境界画素が類似しているか否かに基づいて、隣接する位置に表示される２つの入力画像の各対のうち、互いに関連しない対について、対を成す２つの入力画像間の境界線を示すＯＳＤ画像が表示される。
【０１４８】
（表示装置１’の利点）
以上のように、本実施形態に係る表示装置１’は、隣接する位置に表示される２つの入力画像の各対について、互いに関連する画像であるかを判定する判定部３４をさらに備えている。これにより、表示装置１’は、表示画像の一部として隣接する位置に表示される２つの画像が互いに関連しない画像であると判定された場合には、２つの画像の境界を示す境界線を表示する。また、表示画像の一部として隣接する位置に表示される２つの画像が互いに関連する画像であると判定された場合には、２つの画像の境界を示す境界線を表示しない。
【０１４９】
したがって、表示装置１’は、隣接する位置に表示される２つの画像であって、互いに関連する２つの画像間の境界線は表示しないため、ユーザにとってより自然な表示画像を表示することができる。
【０１５０】
なお、本実施形態に係る表示装置１’において、判定部３４は、変形例として説明した各判定処理（ステップＳ２０、３０、４０、５０、および６０）の一部または全てを適宜組み合わせることにより判定する構成としてもよく、本発明はこれに限定されるものではない。
【０１５１】
（表示装置１’の表示画面の遷移について）
以下では、本実施形態に係る表示装置１’表示する画面の遷移の一例について図１６及び図１７を参照しながら説明する。また、図１６及び図１７はあくまで例示であって、表示装置１が表示する合成画像は、図１６及び図１７に示したものに限定されない。
【０１５２】
図１６は、本実施形態に係る表示装置１’に入力される画像信号の示す画像間の境界線を表示する場合における表示画面の遷移の一例を示す遷移図である。具体的には、図１６は、判定部３４がステップＳ３０の処理を行う場合における、表示画面の遷移の一例を示す遷移図である。
【０１５３】
まず、ＨＤＭＩ１のみに１０８０ｐの解像度を有する入力画像信号が入力されると、表示装置１’は図１６の画面ａに示すような合成画像を表示する。また、ＨＤＭＩ２〜４には入力画像信号が入力されていないため、４分割した領域のうち右上、左下、及び右下の領域には、入力画像信号が入力されていないことを示す画像（「NO SIGNAL」というメッセージを示した画像）が表示される。
【０１５４】
続いて、ＨＤＭＩ２に７２０ｐの解像度を有する入力画像信号が入力されると、表示装置１’の表示画面は、図１６の画面ｂに遷移する。図１６の画面ｂに示すように、ＨＤＭＩ２に入力された第２の入力画像が、表示画面を４分割した領域のうち右上の領域に表示され、ＯＳＤ画像内の「ＨＤＭＩ２」の文字列が「ＨＤＭＩ２  ７２０ｐ」に更新される。また、図１６の画面ｂに破線で示されているように、第１の入力画像と、第２の入力画像との境界線を示すＯＳＤ画像が表示される。
【０１５５】
続いて、ＨＤＭＩ３に４８０ｐの解像度を有する入力画像信号が入力されると、表示装置１’の表示画面は、図１６の画面ｃに遷移する。図１６の画面ｃに示すように、ＨＤＭＩ３に入力された第３の入力画像が、表示画面を４分割した領域のうち左下の領域に表示される。また、ＨＤＭＩ３に４８０ｐの解像度を有する入力画像信号が入力されることにより、図１６の画面ｃに示すように、ＯＳＤ画像内の「ＨＤＭＩ３」の文字列が「ＨＤＭＩ３  ４８０ｐ」に更新される。また、図１６の画面ｃに破線で示されているように、第１の入力画像と、第３の入力画像との境界線を示すＯＳＤ画像が新たに表示されている。
【０１５６】
最後に、ＨＤＭＩ４に１０８０ｐの解像度を有する入力画像信号が入力されると、表示装置１’の表示画面は、図１６の画面ｄに遷移する。図１６の画面ｄに示すように、ＨＤＭＩ４に入力された第４の入力画像が、表示画面を４分割した領域のうち右下の領域に表示される。また、図１６の画面ｄに破線で示されているように、第２の入力画像と、第４の入力画像との境界線を示すＯＳＤ画像、および、第３の入力画像と、第４の入力画像との境界線を示すＯＳＤ画像が表示される。
【０１５７】
この時点で表示装置１’が表示している合成画像は、第１〜第４の入力画像の４つの入力画像解像度が同一ではないため、本来の品質の４Ｋ２Ｋ画像ではない。表示装置１’は、上記のように、各入力画像間の境界線を示すＯＳＤ画像を表示することにより、ユーザは、表示されている４Ｋ２Ｋ画像が本来の４Ｋ２Ｋ画像ではないことを容易に把握することができる。
【０１５８】
なお、図１６において、各入力画像間の境界線を示すＯＳＤ画像は、説明の便宜上、破線で示されているが、これは本発明を限定するものではない。例えば、境界線を示すＯＳＤ画像を赤色などのユーザにとって視認しやすい色の実線で示してもよく、ユーザに各入力画像間の境界線を把握させられるものであれば、境界線はどのような態様で表示されてもよい。
【０１５９】
図１７は、本実施形態に係る表示装置１’に入力される画像信号の示す画像間の境界線を表示する場合における表示画面の遷移の一例を示す遷移図である。
【０１６０】
まず、ＨＤＭＩ１のみに１０８０ｐの解像度を有する入力画像信号が入力されると、表示装置１’は図１７の画面ａに示すような合成画像を表示する。
【０１６１】
図１７の画面ａに示すように、ＨＤＭＩ１に入力された第１の入力画像が、表示画面を４分割した領域のうち左上の領域に表示される。また、ＨＤＭＩ２〜４には入力画像信号が入力されていないため、４分割した領域のうち右上、左下、及び右下の領域には、入力画像信号が入力されていないことを示す画像（「NO SIGNAL」などのメッセージを示した画像）が表示される。
【０１６２】
また、図１７の画面ａに示すように、４分割した各領域には、その領域に表示されている入力画像に対応する入力画像信号の解像度を示すＯＳＤ画像が表示される。各領域に表示されるＯＳＤ画像には、その領域に表示される入力画像を受信したＨＤＭＩ入力端子を示す文字列（「ＨＤＭＩ１」〜「ＨＤＭＩ４」のいずれか）が含まれる。例えば、図１７の画面ａの場合においては、ＨＤＭＩ１には１０８０ｐの解像度を有する入力画像信号が入力されているため、ＨＤＭＩ１が受信した第１の入力画像が表示される左上の領域のＯＳＤ画像には「ＨＤＭＩ１  １０８０ｐ」という文字列が含まれる。また、ＨＤＭＩ２には入力画像信号が入力されていないため、ＨＤＭＩ２が受信した第２の入力画像が表示するための右上の領域のＯＳＤ画像には「ＨＤＭＩ２」という文字列のみが表示される。ＨＤＭＩ３及びＨＤＭＩ４についても、ＨＤＭＩ２と同様に入力画像信号が入力されていないため、対応するＯＳＤ画像には、それぞれ、「ＨＤＭＩ３」、及び「ＨＤＭＩ４」とう文字列のみが表示されている。
【０１６３】
なお、本変形例においても、各ＨＤＭＩ入力端子の何れにも入力画像信号が入力されていない場合には、表示装置１は、入力画像信号が入力されていないことを示す画像（「NO
SIGNAL」などのメッセージを示した画像）またはブランク画像を表示する（不図示）。
上記の場合、表示画面を４分割した領域のそれぞれに入力画像信号が入力されていないことを示す画像、またはブランク画像を表示してもよいし、表示画面を分割せずに、単一の入力画像信号が入力されていないことを示す画像、または単一のブランク画像を表示する構成としてもよい。
【０１６４】
続いて、ＨＤＭＩ２に１０８０ｐの解像度を有する入力画像信号が入力されると、表示装置１’の表示画面は、図１７の画面ｂに遷移する。図１７の画面ｂに示すように、ＨＤＭＩ２に入力された第２の入力画像が表示画面を４分割した領域のうち右上の領域に表示され、右上の領域に表示されているＯＳＤ画像内の「ＨＤＭＩ２」という文字列は「ＨＤＭＩ２  １０８０ｐ」に変更される。また、図１７の画面ｂに破線で示されているように、第１の入力画像と、第２の入力画像との境界線を示すＯＳＤ画像が表示される。
【０１６５】
続いて、ＨＤＭＩ３に１０８０ｐの解像度を有する入力画像信号が入力されると、表示装置１’の表示画面は、図１７の画面ｃに遷移する。図１７の画面ｃに示すように、ＨＤＭＩ３に入力された第３の入力画像が表示画面を４分割した領域のうち左下の領域に表示され、左下の領域に表示されているＯＳＤ画像内の「ＨＤＭＩ３」という文字列は、「ＨＤＭＩ３  １０８０ｐ」に変更される。また、図１７の画面ｃに破線で示されているように、第１の入力画像と、第３の入力画像との境界線を示すＯＳＤ画像が新たに表示される。
【０１６６】
続いて、ＨＤＭＩ４に１０８０ｐの解像度を有する入力画像信号が入力されると、表示装置１’の表示画面は、図１７の画面ｄに遷移する。図１７の画面ｄに示すように、ＨＤＭＩ４に入力された第４の入力画像が表示画面を４分割した領域のうち右下の領域に表示され、右下の領域に表示されるＯＳＤ画像内の「ＨＤＭＩ４」という文字列は、「ＨＤＭＩ４  １０８０ｐ」に変更される。ＨＤＭＩ４に１０８０ｐの解像度を有する入力画像信号が入力されたことにより、全てのＨＤＭＩ入力端子に同一の品質の分割画像が入力されたことになる。この場合、表示装置１’の表示画面は、図１７の画面ｄに示されているように、各入力画像間の境界線を示すＯＳＤ画像の表示を解除する。
【０１６７】
以上のように、表示装置１’は、入力画像が２つまたは３つである場合、および、４つの入力画像の画像信号の解像度が同一でない場合には、上記境界線を示すＯＳＤ画像を表示し、４つの入力画像の画像信号の解像度が互いに等しい場合には、上記境界線を示すＯＳＤ画像の表示を解除する。
【０１６８】
したがって、表示装置１’は、境界線の表示を解除することにより、複数の映像を統合して表示される表示映像（統合映像）が本来の品質の映像であるか否かをユーザに把握させることがさらに容易になるという効果を奏する。
【０１６９】
なお、図１７においても、各入力画像間の境界線を示すＯＳＤ画像は、説明の便宜上、破線で示されているが、これは本発明を限定するものではない。
【０１７０】
（表示システムについて）
また、図８は本発明の各実施形態に係る表示装置と、画像出力装置（前述の外部機器）とからなる画像表示システムの構成を示すブロック図である。図８に示すように、本発明に係る表示装置１と、画像を分割して得られる分割画像を示す入力画像信号を並列伝送することが可能な画像出力装置とからなる画像表示システムも本発明の範疇に入る。
【０１７１】
（表示装置について）
なお、表示装置１の各手段を備えているテレビジョン受像機及びディスプレイも本発明の範疇に入る。
【０１７２】
また、表示装置１は、原画像をＮ分割（Ｎは２以上の自然数）する外部機器から受信したＮ個の分割画像を統合して表示画像を生成した場合、Ｎ個の分割画像の各画像信号の解像度が同一（より具体的には、各画像信号の解像度が原画像の解像度（表示部４の画面解像度）の１／Ｎ）である場合に表示画像の解像度を示すＯＳＤ画像を表示し、それ以外の場合に各分割画像の画像信号の解像度を表示してもよい。
【０１７３】
〔ソフトウェアによる実現例〕
表示装置１の制御ブロック（特に表示制御部３）は、集積回路（ＩＣチップ）等に形成された論理回路（ハードウェア）によって実現してもよいし、ＣＰＵ（Central Processing Unit）を用いてソフトウェアによって実現してもよい。
【０１７４】
後者の場合、表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１７５】
〔まとめ〕
本発明の態様１に係る表示装置１は、並列的に送られてくる複数の画像信号を受け付ける画像信号受付手段（４つの画像信号受付部２）と、上記画像信号受付手段によって受け付けられた上記複数の画像信号の示す各画像を統合して表示画像を生成する画像統合手段（画像統合部３１）と、上記複数の画像信号の各々の解像度を示す単一または複数のＯＳＤ画像を生成するＯＳＤ画像生成手段（ＯＳＤ画像生成部３２）と、上記ＯＳＤ画像生成手段によって生成されたＯＳＤ画像と上記画像統合手段によって生成された上記表示画像とを表示する表示手段（表示制御部３）と、を備えていることを特徴とする。
【０１７６】
上記の構成によれば、並列的に送られてくる複数の画像信号を受け付け、受け付けられた複数の画像信号の示す各画像を統合して表示画像を生成することができる。また、本発明に係る表示装置は、複数の画像信号の各々の解像度を示す単一または複数のＯＳＤ画像を生成し、表示画像に合成して表示することができる。
【０１７７】
したがって、上記の構成によれば、上記表示装置は、複数の画像信号の解像度を示すＯＳＤ画像を表示画像に合成して表示する。そのため、表示装置の画面解像度を知っているユーザであれば、ＯＳＤ画像に示されている各解像度から、表示映像（統合映像）が本来の品質の映像であるかを把握できる。したがって、上記表示装置は、複数の映像を統合して表示される表示映像（統合映像）が本来の品質の映像であるか否かを容易にユーザに把握させることができる。
【０１７８】
本発明の態様２に係る表示装置１は、上記態様１において、上記ＯＳＤ画像生成手段は、上記画像統合手段によって統合される上記各画像の画像信号の解像度が互いに等しい場合に上記表示画像の解像度を示すＯＳＤ画像を生成し、上記各画像の画像信号が同一でない場合に上記単一または複数のＯＳＤ画像を生成する、ことが好ましい。
【０１７９】
上記の構成によれば、複数の映像を統合して表示される統合映像が本来の品質の映像であるか否かをユーザに把握させることが、さらに容易になるという効果を奏する。
【０１８０】
本発明の態様３に係る表示装置１は、上記態様１または２において、上記ＯＳＤ画像生成手段は、上記複数の画像信号の各々の解像度を示すＯＳＤ画像として、上記画像統合手段によって統合される各画像について上記表示画像内における該画像の表示位置と該画像を示す画像信号の解像度とを対として示した単一のＯＳＤ画像を生成する、ことが好ましい。
【０１８１】
上記の構成によれば、複数の画像信号の示す各画像について表示画像内における該画像の表示位置と該画像を示す画像信号の解像度とを対として示したＯＳＤ画像を生成することができる。
【０１８２】
したがって、上記の構成によれば、表示画像内のどの画像が、どのような品質を有しているかをユーザに直感的に把握させることができるという、さらなる効果を奏する。
【０１８３】
本発明の態様４に係る表示装置１は、上記態様１または２において、上記ＯＳＤ画像生成手段は、上記複数の画像信号の各々について、該画像信号の解像度を示すＯＳＤ画像を生成し、上記表示手段は、上記複数の画像信号の各々について、該画像信号が表す画像上に該画像信号の解像度を示すＯＳＤ画像を表示する、ことが好ましい。
【０１８４】
上記の構成によれば、複数の画像信号の示す各画像上に、それぞれの画像の品質をＯＳＤ表示することができる。また、各画像上にそれぞれＯＳＤ表示することにより、ＯＳＤ
画像が表示画像内の何れかの画像の表示領域の一部を占有しないようにすることができる。
【０１８５】
したがって、上記の構成によれば、表示画像内の各画像について、該画像の品質をユーザに把握させることを容易にしながらも、各画像の視聴を妨げることがないという、さらなる効果を奏する。
【０１８６】
本発明の態様５に係る表示装置１は、上記態様１から４の何れかの態様において、上記画像信号受付手段は、上記複数の画像信号の各々について、該画像信号を受け付ける入力端子を備えており、複数の上記入力端子のうちの一部の上記入力端子に画像信号が入力されていない場合に、上記ＯＳＤ画像生成手段は、入力された画像信号の各々の解像度を示すＯＳＤ画像を生成するとともに、上記一部の入力端子の各々について、該入力端子に画像信号が入力されていないことを示すＯＳＤ画像を生成し、上記表示手段は、上記入力された各画像信号の解像度を示すＯＳＤ画像を表示し、上記一部の入力端子の各々について、該入力端子に画像信号が入力されていない旨を示すＯＳＤ画像を、該入力端子に画像信号が入力されている場合に該画像信号の示す画像が表示される領域に表示する、ことが好ましい。
【０１８７】
上記の構成によれば、複数の入力端子のうちの一部の上記入力端子に画像信号が入力されていない場合に、入力された画像信号の各々について該画像信号の解像度を示すＯＳＤ画像を該画像信号の示す画像上に表示し、一部の入力端子の各々について、該入力端子に画像信号が入力されていない旨を示すＯＳＤ画像を、該入力端子に画像信号が入力されている場合に該画像信号の示す画像が表示される領域に表示することができる。
【０１８８】
したがって、上記の構成によれば、何れの入力端子に画像信号が入力されていないかをユーザに把握させることを容易にすることができるという効果を奏する。
【０１８９】
本発明の態様６に係る表示装置１は、上記態様１から５の何れかの態様において、上記ＯＳＤ画像生成手段は、上記表示画像の一部として、隣接する位置に２つの上記画像が表示される場合に、隣接する位置に表示される２つの上記画像の各対について該対を成す２つの画像間の境界線を示すＯＳＤ画像を生成する、ことが好ましい。
【０１９０】
上記の構成によれば、表示画像の一部として隣接する位置に表示される２つの画像間の境界を示す境界線を表示することができる。
【０１９１】
したがって、上記の構成によれば、表示画像において、統合された各画像間の境界線をユーザに把握させることを容易にすることができるという効果を奏する。
【０１９２】
本発明の態様７に係る表示装置１は、上記態様６において、上記対を成す２つの画像が互いに関連する画像であるかを判定する判定手段をさらに備え、上記ＯＳＤ画像生成手段は、上記判定手段により上記対を成す２つの画像が互いに関連しない画像であると判定された場合に限り、上記境界線を示すＯＳＤ画像を生成する、ことが好ましい。
【０１９３】
上記の構成によれば、表示画像の一部として隣接する位置に表示される２つの画像が互いに関連しない画像であると判定された場合には、２つの画像間の境界線を表示する。また、表示画像の一部として隣接する位置に表示される２つの画像が互いに関連する画像であると判定された場合には、２つの画像間の境界線を表示しない。
【０１９４】
したがって、上記の構成によれば、隣接する位置に表示される２つの画像であって、互いに関連する２つの画像間の境界線は表示しないため、ユーザにとってより自然な表示画像を表示することができるという効果を奏する。
【０１９５】
本発明の態様８に係る表示装置１は、上記態様７において、上記判定手段は、上記対を成す２つの画像の画像信号に関し、入力チャンネル、入力ソース、または入力サービス名の何れかが同一である場合に、該対を成す２つの画像を互いに関連する画像であると判定する、ことが好ましい。
【０１９６】
上記の構成によれば、各画像信号の入力チャンネル、入力ソース、または入力サービス名に基づいて、隣接する位置に表示される２つの画像が互いに関連する画像であるかを判定する。
【０１９７】
したがって、上記の構成によれば、隣接する位置に表示される２つの画像の関連性をより正確に判定することができるという効果を奏する。
【０１９８】
本発明の態様９に係る表示装置１は、上記態様７または８において、上記判定手段は、上記対を成す２つの各画像の画像信号の解像度が同一である場合に、該対を成す２つの画像を互いに関連する画像であると判定する、構成としてもよい。
【０１９９】
本発明の態様１０に係る表示装置１は、上記態様７から９の何れかの態様において、上記判定手段は、上記対を成す２つの画像に関し、画像信号を出力する機器の機器名を示す機器情報が同一である場合に、該対を成す２つの画像を互いに関連する画像であると判定する、構成としてもよい。
【０２００】
本発明の態様１１に係る表示装置１は、上記態様７から１０の何れかの態様において、上記判定手段は、上記対を成す２つの画像の画像信号に関し、伝送方式の種別を示す信号モード、色空間の種別、およびカラリメトリ情報が何れも同一である場合に、該対を成す２つの画像を互いに関連する画像であると判定する、構成としてもよい。
【０２０１】
本発明の態様１２に係る表示装置１は、上記態様７から１１の何れかの態様において、上記判定手段は、上記対を成す一方の画像中の画素群であって他方の画像との境界に位置する画素群のうちの所定の割合以上の画素が、該画素の画素値と該画素に隣接する上記他方の画像中の画素の画素値との差が所定の閾値以下であるという条件を満たす場合に、該対を成す２つの画像を互いに関連する画像であると判定する、構成としてもよい。
【０２０２】
本発明の態様１３に係る表示装置１は、上記態様１２において、上記所定の割合は５０パーセントである、ことが好ましい。
【０２０３】
本発明の態様１４に係る表示装置１は、上記態様６において、上記ＯＳＤ画像生成手段は、上記画像統合手段が上記表示画像を生成するために統合可能な最大枚数の画像を統合する場合には、各画像の画像信号の解像度が同一であるときに限って上記境界線を示すＯＳＤ画像を表示しない、ことが好ましい。
【０２０４】
上記の構成によれば、最大枚数の画像を統合して表示画像を生成する場合において、の各画像信号の解像度が同一でないときには各画像間の境界線を示すＯＳＤ画像を表示し、各画像の画像信号の解像度が互いに等しいときには各画像間の境界線を示すＯＳＤ画像の表示しない。
【０２０５】
したがって、上記の構成によれば、最大枚数の映像を統合して表示される表示映像（統合映像）が本来の品質の映像であるか否かをユーザに把握させることがさらに容易になるという効果を奏する。
【０２０６】
本発明の態様１５に係る表示装置１は、上記態様１から１４において、上記画像信号受付手段は、上記複数の画像信号として、原画像を分割して得られる複数の分割画像の各々の画像信号を受け付ける、ことが好ましい。
【０２０７】
上記の構成によれば、複数の分割画像を統合して表示画像を生成することにより、表示装置１において原画像と同一の画像を表示することができる。
【０２０８】
本発明の態様１６に係る表示装置１は、上記態様１５において、上記表示画像の一部として隣接する位置に表示される２つの上記分割画像の各対について、該対を成す２つの分割画像の境界を示す境界線を上記表示画像上に表示する境界線表示手段（表示制御部３）をさらに備えている、ことが好ましい。
【０２０９】
上記の構成によれば、各分割画像が、表示画像内において何れの領域に表示されているかを、ユーザに認識させやすくなるという、さらなる効果を奏する。
【０２１０】
本発明の態様１７に係る表示装置１は、上記態様１５または１６において、上記表示画像の解像度は水平画素数３８４０×垂直画素数２１６０であり、上記画像信号受付手段は、上記複数の画像信号として、原画像を４つに分割して得られる４つの分割画像の各々の画像信号を受け付け、上記ＯＳＤ画像生成手段は、上記４つの分割画像の解像度が何れも水平画素数１９２０×垂直画素数１０８０である場合に、上記表示画像の解像度を示すＯＳＤ画像を生成する、ことが好ましい。
【０２１１】
上記態様１から１７の表示装置を備えているテレビジョン受像機も、本発明の範疇に入る。
【０２１２】
本発明の各態様に係る表示装置は、コンピュータによって実現してもよく、この場合には、コンピュータを上記表示装置が備える各手段として動作させることにより上記表示装置をコンピュータにて実現させる表示装置の制御プログラム、およびそれを記録したコンピュータ読み取り可能な記録媒体も、本発明の範疇に入る。
【０２１３】
本発明の態様に係る表示装置の制御方法は、並列的に送られてくる複数の画像信号を受け付ける画像信号受付工程と、上記画像信号受付工程にて受け付けられた上記複数の画像信号の示す各画像を統合して表示画像を生成する画像統合工程と、上記複数の画像信号の各々の解像度を示す単一または複数のＯＳＤ画像を生成するＯＳＤ画像生成工程と、上記画像統合工程にて生成された表示画像と、上記ＯＳＤ画像生成工程にて生成されたＯＳＤ画像とを表示する表示工程と、を含んでいることを特徴とする。
【０２１４】
上記の制御方法によれば、上記の表示装置と同様の効果を奏する。
【０２１５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２１６】
本発明は、テレビジョン受像機に好適に利用することができる。
【符号の説明】
【０２１７】
１  表示装置
２    画像信号受付部（画像信号受付手段）
３    表示制御部（表示手段）
３１      画像統合部（画像統合手段）
３２      ＯＳＤ画像生成部（ＯＳＤ画像生成手段）
３３      ＯＳＤ画像合成部
３４      判定部（判定手段）
４    表示部
【図１】
2014134755.tif 000003
【図２】
2014134755.tif 000004
【図３】
2014134755.tif 000005
【図４】
2014134755.tif 000006
【図５】
2014134755.tif 000007
【図６】
2014134755.tif 000008
【図７】
2014134755.tif 000009
【図８】
2014134755.tif 000010
【図９】
2014134755.tif 000011
【図１０】
2014134755.tif 000012
【図１１】
2014134755.tif 000013
【図１２】
2014134755.tif 000014
【図１３】
2014134755.tif 000015
【図１４】
2014134755.tif 000016
【図１５】
2014134755.tif 000017
【図１６】
2014134755.tif 000018
【図１７】
2014134755.tif 000019